(57)【要約】【課題】用途に応じて最適な画像を得る。【解決手段】入力部１０１により、撮像装置特性補正データ（再現補助データ）及び撮影情報データが添付されたシーン参照生データが取得され、シーン参照画像データ生成部１０４により、撮像装置特性補正データに基づいてシーン参照生データに、撮像装置固有の装置特性を補正する処理が施され、シーン参照画像データが生成される。ヘッダ情報編集部１０６により、鑑賞画像の用途に応じて、撮像装置特性補正データを構成する要素の一部又は全てに対して編集が行われ、編集済み再現補助データが生成される。そして、シーン参照画像データに編集済み再現補助データ及び撮影情報データが添付され、記録メディアに記録される。【選択図】図７
2006203565.tif 000002
【特許請求の範囲】
【請求項１】
撮像装置の撮像装置特性に依存したシーン参照生データ、及び、当該シーン参照生データに添付された再現補助データを取得するデータ取得手段と、
前記再現補助データに基づいて、前記シーン参照生データに前記撮像装置固有の装置特性を補正する処理を施してシーン参照画像データを生成するシーン参照画像データ生成手段と、
前記シーン参照画像データを用いて出力媒体上に形成される鑑賞画像の用途に応じて、前記再現補助データを構成する要素の一部又は全てを編集し、編集済み再現補助データを生成する再現補助データ編集手段と、
前記編集済み再現補助データを、前記シーン参照画像データに添付して記録する記録手段と、
を備えたことを特徴とする画像処理装置。
【請求項２】
請求項１に記載の画像処理装置において、
前記シーン参照画像データに最適な鑑賞画像を形成するための画像処理を施して鑑賞画像参照データを生成する鑑賞画像参照データ生成手段を備えたことを特徴とする画像処理装置。
【請求項３】
撮像装置の撮像装置特性に依存したシーン参照生データ、及び、当該シーン参照生データに付帯された再現補助データを取得するデータ取得手段と、
前記シーン参照生データを用いて出力媒体上に形成される鑑賞画像の用途に応じて、前記再現補助データを構成する要素の一部又は全てを編集し、編集済み再現補助データを生成する再現補助データ編集手段と、
前記編集済み再現補助データを、前記シーン参照生データに添付して記録する記録手段と、
を備えたことを特徴とする画像処理装置。
【請求項４】
請求項３に記載の画像処理装置において、
前記シーン参照生データに最適な鑑賞画像を形成するための画像処理を施して鑑賞画像参照データを生成する鑑賞画像参照データ生成手段を備えたことを特徴とする画像処理装置。
【請求項５】
請求項１〜４のいずれか一項に記載の画像処理装置において、
前記再現補助データ編集手段は、前記鑑賞画像の複数の用途に応じて、前記再現補助データを構成する要素の一部又は全てに対して複数の情報を生成することを特徴とする画像処理装置。
【請求項６】
撮像装置の撮像装置特性に依存したシーン参照生データに対し当該シーン参照生データに添付された再現補助データに基づいて前記撮像装置固有の装置特性を補正する処理が施されたシーン参照画像データ、及び、前記シーン参照画像データを用いて出力媒体上に形成される鑑賞画像の用途に応じて編集された編集済み再現補助データを取得するデータ取得手段と、
前記編集済み再現補助データに基づいて、前記シーン参照画像データに最適な鑑賞画像を形成するための画像処理を施して鑑賞画像参照データを生成する鑑賞画像参照データ生成手段と、
を備えたことを特徴とする画像処理装置。
【請求項７】
撮像装置の撮像装置特性に依存したシーン参照生データ、及び、前記シーン参照生データを用いて出力媒体上に形成される鑑賞画像の用途に応じて編集された編集済み再現補助データを取得するデータ取得手段と、
前記編集済み再現補助データに基づいて、前記シーン参照生データに最適な鑑賞画像を形成するための画像処理を施して鑑賞画像参照データを生成する鑑賞画像参照データ生成手段と、
を備えたことを特徴とする画像処理装置。
【請求項８】
請求項７に記載の画像処理装置において、
前記鑑賞画像参照データ生成手段は、前記編集済み再現補助データに基づいて、前記シーン参照生データに前記撮像装置固有の装置特性を補正する処理を施してシーン参照画像データを生成し、前記編集済み再現補助データに基づいて、前記生成されたシーン参照画像データに前記最適な鑑賞画像を形成するための画像処理を施して前記鑑賞画像参照データを生成することを特徴とする画像処理装置。
【請求項９】
請求項６〜８のいずれか一項に記載の画像処理装置において、
前記鑑賞画像の用途に応じて、前記編集済み再現補助データを構成する要素の一部又は全てについて、前記最適な鑑賞画像を形成するための画像処理を施す際に使用するデータを選択する選択手段を備えたことを特徴とする画像処理装置。
【請求項１０】
撮像装置の撮像装置特性に依存したシーン参照生データ、当該シーン参照生データに添付された再現補助データ、及び、撮影時の撮影条件設定である撮影情報データを取得するデータ取得手段と、
前記再現補助データに基づいて、前記シーン参照生データに前記撮像装置固有の装置特性を補正する処理を施してシーン参照画像データを生成するシーン参照画像データ生成手段と、
前記シーン参照画像データを用いて出力媒体上に形成される鑑賞画像の用途に応じて、前記再現補助データを構成する要素の一部又は全てを編集し、編集済み再現補助データを生成する再現補助データ編集手段と、
前記編集済み再現補助データ及び撮影情報データを、前記シーン参照画像データに添付して記録する記録手段と、
を備えたことを特徴とする画像処理装置。
【請求項１１】
請求項１０に記載の画像処理装置において、
前記シーン参照画像データに最適な鑑賞画像を形成するための画像処理を施して鑑賞画像参照データを生成する鑑賞画像参照データ生成手段を備えたことを特徴とする画像処理装置。
【請求項１２】
撮像装置の撮像装置特性に依存したシーン参照生データ、当該シーン参照生データに付帯された再現補助データ、及び、撮影時の撮影条件設定である撮影情報データを取得するデータ取得手段と、
前記シーン参照生データを用いて出力媒体上に形成される鑑賞画像の用途に応じて、前記再現補助データを構成する要素の一部又は全てを編集し、編集済み再現補助データを生成する再現補助データ編集手段と、
前記編集済み再現補助データ及び撮影情報データを、前記シーン参照生データに添付して記録する記録手段と、
を備えたことを特徴とする画像処理装置。
【請求項１３】
請求項１２に記載の画像処理装置において、
前記シーン参照生データに最適な鑑賞画像を形成するための画像処理を施して鑑賞画像参照データを生成する鑑賞画像参照データ生成手段を備えたことを特徴とする画像処理装置。
【請求項１４】
請求項１０〜１３のいずれか一項に記載の画像処理装置において、
前記再現補助データ編集手段は、前記鑑賞画像の複数の用途に応じて、前記再現補助データを構成する要素の一部又は全てに対して複数の情報を生成することを特徴とする画像処理装置。
【請求項１５】
撮像装置の撮像装置特性に依存したシーン参照生データに対し当該シーン参照生データに添付された再現補助データに基づいて前記撮像装置固有の装置特性を補正する処理が施されたシーン参照画像データ、前記シーン参照画像データを用いて出力媒体上に形成される鑑賞画像の用途に応じて編集された編集済み再現補助データ、及び、撮影時の撮影条件設定である撮影情報データを取得するデータ取得手段と、
前記編集済み再現補助データ及び撮影情報データに基づいて、前記シーン参照画像データに最適な鑑賞画像を形成するための画像処理を施して鑑賞画像参照データを生成する鑑賞画像参照データ生成手段と、
を備えたことを特徴とする画像処理装置。
【請求項１６】
撮像装置の撮像装置特性に依存したシーン参照生データ、前記シーン参照生データを用いて出力媒体上に形成される鑑賞画像の用途に応じて編集された編集済み再現補助データ、及び、撮影時の撮影条件設定である撮影情報データを取得するデータ取得手段と、
前記編集済み再現補助データ及び撮影情報データに基づいて、前記シーン参照生データに最適な鑑賞画像を形成するための画像処理を施して鑑賞画像参照データを生成する鑑賞画像参照データ生成手段と、
を備えたことを特徴とする画像処理装置。
【請求項１７】
請求項１６に記載の画像処理装置において、
前記鑑賞画像参照データ生成手段は、前記編集済み再現補助データに基づいて、前記シーン参照生データに前記撮像装置固有の装置特性を補正する処理を施してシーン参照画像データを生成し、前記編集済み再現補助データ及び撮影情報データに基づいて、前記生成されたシーン参照画像データに前記最適な鑑賞画像を形成するための画像処理を施して前記鑑賞画像参照データを生成することを特徴とする画像処理装置。
【請求項１８】
請求項１５〜１７のいずれか一項に記載の画像処理装置において、
前記鑑賞画像の用途に応じて、前記編集済み再現補助データを構成する要素の一部又は全てについて、前記最適な鑑賞画像を形成するための画像処理を施す際に使用するデータを選択する選択手段を備えたことを特徴とする画像処理装置。
【請求項１９】
請求項１〜１８のいずれか一項に記載の画像処理装置と、
出力媒体上に鑑賞画像を形成する画像形成手段と、
を備えたことを特徴とする画像記録装置。
【請求項２０】
撮像装置の撮像装置特性に依存したシーン参照生データ、及び、当該シーン参照生データに添付された再現補助データを取得するデータ取得工程と、
前記再現補助データに基づいて、前記シーン参照生データに前記撮像装置固有の装置特性を補正する処理を施してシーン参照画像データを生成するシーン参照画像データ生成工程と、
前記シーン参照画像データを用いて出力媒体上に形成される鑑賞画像の用途に応じて、前記再現補助データを構成する要素の一部又は全てを編集し、編集済み再現補助データを生成する再現補助データ編集工程と、
前記編集済み再現補助データを、前記シーン参照画像データに添付して記録する記録工程と、
を含むことを特徴とする画像処理方法。
【請求項２１】
請求項２０に記載の画像処理方法において、
前記シーン参照画像データに最適な鑑賞画像を形成するための画像処理を施して鑑賞画像参照データを生成する鑑賞画像参照データ生成工程を含むことを特徴とする画像処理方法。
【請求項２２】
撮像装置の撮像装置特性に依存したシーン参照生データ、及び、当該シーン参照生データに付帯された再現補助データを取得するデータ取得工程と、
前記シーン参照生データを用いて出力媒体上に形成される鑑賞画像の用途に応じて、前記再現補助データを構成する要素の一部又は全てを編集し、編集済み再現補助データを生成する再現補助データ編集工程と、
前記編集済み再現補助データを、前記シーン参照生データに添付して記録する記録工程と、
を含むことを特徴とする画像処理方法。
【請求項２３】
請求項２２に記載の画像処理方法において、
前記シーン参照生データに最適な鑑賞画像を形成するための画像処理を施して鑑賞画像参照データを生成する鑑賞画像参照データ生成工程を含むことを特徴とする画像処理方法。
【請求項２４】
請求項２０〜２３のいずれか一項に記載の画像処理方法において、
前記再現補助データ編集工程では、前記鑑賞画像の複数の用途に応じて、前記再現補助データを構成する要素の一部又は全てに対して複数の情報を生成することを特徴とする画像処理方法。
【請求項２５】
撮像装置の撮像装置特性に依存したシーン参照生データに対し当該シーン参照生データに添付された再現補助データに基づいて前記撮像装置固有の装置特性を補正する処理が施されたシーン参照画像データ、及び、前記シーン参照画像データを用いて出力媒体上に形成される鑑賞画像の用途に応じて編集された編集済み再現補助データを取得するデータ取得工程と、
前記編集済み再現補助データに基づいて、前記シーン参照画像データに最適な鑑賞画像を形成するための画像処理を施して鑑賞画像参照データを生成する鑑賞画像参照データ生成工程と、
を含むことを特徴とする画像処理方法。
【請求項２６】
撮像装置の撮像装置特性に依存したシーン参照生データ、及び、前記シーン参照生データを用いて出力媒体上に形成される鑑賞画像の用途に応じて編集された編集済み再現補助データを取得するデータ取得工程と、
前記編集済み再現補助データに基づいて、前記シーン参照生データに最適な鑑賞画像を形成するための画像処理を施して鑑賞画像参照データを生成する鑑賞画像参照データ生成工程と、
を含むことを特徴とする画像処理方法。
【請求項２７】
請求項２６に記載の画像処理方法において、
前記鑑賞画像参照データ生成工程では、前記編集済み再現補助データに基づいて、前記シーン参照生データに前記撮像装置固有の装置特性を補正する処理を施してシーン参照画像データを生成し、前記編集済み再現補助データに基づいて、前記生成されたシーン参照画像データに前記最適な鑑賞画像を形成するための画像処理を施して前記鑑賞画像参照データを生成することを特徴とする画像処理方法。
【請求項２８】
請求項２５〜２７のいずれか一項に記載の画像処理方法において、
前記鑑賞画像の用途に応じて、前記編集済み再現補助データを構成する要素の一部又は全てについて、前記最適な鑑賞画像を形成するための画像処理を施す際に使用するデータを選択する選択工程を含むことを特徴とする画像処理方法。
【請求項２９】
撮像装置の撮像装置特性に依存したシーン参照生データ、当該シーン参照生データに添付された再現補助データ、及び、撮影時の撮影条件設定である撮影情報データを取得するデータ取得工程と、
前記再現補助データに基づいて、前記シーン参照生データに前記撮像装置固有の装置特性を補正する処理を施してシーン参照画像データを生成するシーン参照画像データ生成工程と、
前記シーン参照画像データを用いて出力媒体上に形成される鑑賞画像の用途に応じて、前記再現補助データを構成する要素の一部又は全てを編集し、編集済み再現補助データを生成する再現補助データ編集工程と、
前記編集済み再現補助データ及び撮影情報データを、前記シーン参照画像データに添付して記録する記録工程と、
を含むことを特徴とする画像処理方法。
【請求項３０】
請求項２９に記載の画像処理方法において、
前記シーン参照画像データに最適な鑑賞画像を形成するための画像処理を施して鑑賞画像参照データを生成する鑑賞画像参照データ生成工程を含むことを特徴とする画像処理方法。
【請求項３１】
撮像装置の撮像装置特性に依存したシーン参照生データ、当該シーン参照生データに付帯された再現補助データ、及び、撮影時の撮影条件設定である撮影情報データを取得するデータ取得工程と、
前記シーン参照生データを用いて出力媒体上に形成される鑑賞画像の用途に応じて、前記再現補助データを構成する要素の一部又は全てを編集し、編集済み再現補助データを生成する再現補助データ編集工程と、
前記編集済み再現補助データ及び撮影情報データを、前記シーン参照生データに添付して記録する記録工程と、
を含むことを特徴とする画像処理方法。
【請求項３２】
請求項３１に記載の画像処理方法において、
前記シーン参照生データに最適な鑑賞画像を形成するための画像処理を施して鑑賞画像参照データを生成する鑑賞画像参照データ生成工程を含むことを特徴とする画像処理方法。
【請求項３３】
請求項２９〜３２のいずれか一項に記載の画像処理方法において、
前記再現補助データ編集工程では、前記鑑賞画像の複数の用途に応じて、前記再現補助データを構成する要素の一部又は全てに対して複数の情報を生成することを特徴とする画像処理方法。
【請求項３４】
撮像装置の撮像装置特性に依存したシーン参照生データに対し当該シーン参照生データに添付された再現補助データに基づいて前記撮像装置固有の装置特性を補正する処理が施されたシーン参照画像データ、前記シーン参照画像データを用いて出力媒体上に形成される鑑賞画像の用途に応じて編集された編集済み再現補助データ、及び、撮影時の撮影条件設定である撮影情報データを取得するデータ取得工程と、
前記編集済み再現補助データ及び撮影情報データに基づいて、前記シーン参照画像データに最適な鑑賞画像を形成するための画像処理を施して鑑賞画像参照データを生成する鑑賞画像参照データ生成工程と、
を含むことを特徴とする画像処理方法。
【請求項３５】
撮像装置の撮像装置特性に依存したシーン参照生データ、前記シーン参照生データを用いて出力媒体上に形成される鑑賞画像の用途に応じて編集された編集済み再現補助データ、及び、撮影時の撮影条件設定である撮影情報データを取得するデータ取得工程と、
前記編集済み再現補助データ及び撮影情報データに基づいて、前記シーン参照生データに最適な鑑賞画像を形成するための画像処理を施して鑑賞画像参照データを生成する鑑賞画像参照データ生成工程と、
を含むことを特徴とする画像処理方法。
【請求項３６】
請求項３５に記載の画像処理方法において、
前記鑑賞画像参照データ生成工程では、前記編集済み再現補助データに基づいて、前記シーン参照生データに前記撮像装置固有の装置特性を補正する処理を施してシーン参照画像データを生成し、前記編集済み再現補助データ及び撮影情報データに基づいて、前記生成されたシーン参照画像データに前記最適な鑑賞画像を形成するための画像処理を施して前記鑑賞画像参照データを生成することを特徴とする画像処理方法。
【請求項３７】
請求項３４〜３６のいずれか一項に記載の画像処理方法において、
前記鑑賞画像の用途に応じて、前記編集済み再現補助データを構成する要素の一部又は全てについて、前記最適な鑑賞画像を形成するための画像処理を施す際に使用するデータを選択する選択工程を含むことを特徴とする画像処理方法。
【発明の詳細な説明】
【技術分野】
【０００１】
本発明は、デジタルカメラ等の撮像装置により得られたデジタル画像データに対して出力媒体上での鑑賞画像を形成するために画像処理を施す画像処理装置、画像記録装置及び画像処理方法に関する。
【背景技術】
【０００２】
近年、デジタルカメラ等の撮像装置で撮影されたデジタル画像データは、ＣＲＴ（Cathode Ray Tube）、液晶、プラズマ等のディスプレイモニタや携帯電話の小型液晶モニタの表示デバイスに表示されたり、デジタルプリンタ、インクジェットプリンタ、サーマルプリンタ等の出力デバイスからハードコピー画像としてプリントされたりする等、その表示・プリント方法は多種多様化してきている。
【０００３】
デジタル画像データを鑑賞用途で表示・出力する際には、鑑賞に使用するディスプレイモニタ上、或いはハードコピー上において所望の画質が得られるように階調調整、輝度調整、カラーバランス調整、鮮鋭性強調に代表される種々の画像処理を施すことが一般に行われている。
【０００４】
例えば、撮像装置特性に依存したシーン参照生データに、シーン参照生データを標準化するための再現補助データを添付して記録することにより、汎用性のある画像データを生成する技術が開示されている（特許文献１参照）。
【特許文献１】特開２００４−９６５００号公報
【発明の開示】
【発明が解決しようとする課題】
【０００５】
しかし、近年、同一の撮影画像を複数の用途に使用することが多くなってきており、また、ユーザの高画質化への要望から、用途毎に最適な画質であることが望まれている。高画質化に伴い画像ファイルのサイズが大きくなり、用途毎にそれぞれ画像ファイルを記録・保存するのは、ファイル管理・環境整備の点から負荷が高かった。
【０００６】
本発明は上記の従来技術における問題に鑑みてなされたものであって、用途に応じて最適な画像を得ることができる画像処理装置、画像記録装置及び画像処理方法を提供することを課題とする。
【課題を解決するための手段】
【０００７】
上記課題を解決するために、請求項１に記載の発明は、画像処理装置において、撮像装置の撮像装置特性に依存したシーン参照生データ、及び、当該シーン参照生データに添付された再現補助データを取得するデータ取得手段と、前記再現補助データに基づいて、前記シーン参照生データに前記撮像装置固有の装置特性を補正する処理を施してシーン参照画像データを生成するシーン参照画像データ生成手段と、前記シーン参照画像データを用いて出力媒体上に形成される鑑賞画像の用途に応じて、前記再現補助データを構成する要素の一部又は全てを編集し、編集済み再現補助データを生成する再現補助データ編集手段と、前記編集済み再現補助データを、前記シーン参照画像データに添付して記録する記録手段と、を備えたことを特徴とする。
【０００８】
ここで、本願明細書の記載において「生成」とは、本発明に係る画像処理装置及び画像記録装置内において作用するプログラム、処理回路が、画像信号やデータを新たに作り出すことである。「作成」を同義語として用いることもある。
【０００９】
また、「撮像装置」とは、光電変換機能を有する撮像素子（イメージセンサ）を備えた装置であって、所謂デジタルカメラやスキャナがこれに含まれる。撮像素子の一例としては、ＣＣＤ（電荷結合素子(Charge Coupled Device)）と、電荷転送機構と、市松模様のカラーフィルタとを組み合わせ感色性を付与したＣＣＤ型撮像素子や、ＣＭＯＳ型撮像素子が挙げられる。これらの撮像素子の出力電流はＡ／Ｄ変換器によりデジタル化される。この段階での各色チャンネルの内容は、撮像素子固有の分光感度に基づいた信号強度となっている。
【００１０】
また、「撮像装置特性に依存したシーン参照生データ」とは、被写体に忠実な情報を記録した撮像装置直接の生出力信号であり、前記Ａ／Ｄ変換器によりデジタル化されたデータそのものや、該データに固定パターンノイズ・暗電流ノイズ等のノイズ補正を行ったデータを意味し、ＲＡＷデータが含まれる。このシーン参照生データは、階調変換・鮮鋭性強調・彩度強調のような画像鑑賞時の効果を向上するためにデータ内容を改変する画像処理や、撮像素子固有の分光感度に基づく各色チャンネルの信号強度をＲＩＭＭ  ＲＧＢ（Reference Input Medium Metric ＲＧＢ）やＥＲＩＭＭ ＲＧＢ（Extended Reference Input Medium Metric ＲＧＢ）（Journal of Imaging Science and Technology 45巻 418〜426頁（2001年）参照）、ｓＲＧＢ等の標準化された色空間にマッピングする処理を省略したことを特徴とする。シーン参照生データの情報量（例えば階調数）は前記Ａ／Ｄ変換器の性能に準じ、鑑賞画像参照データで必要とされる情報量（例えば階調数）と同等以上であることが好ましい。例えば鑑賞画像参照データの階調数が１チャンネルあたり8bitである場合、シーン参照生データの階調数は12bit以上が好ましく、14bit以上がより好ましく、また16bit以上がさらに好ましい。
【００１１】
また、「シーン参照画像データ」とは、少なくとも撮像素子自体の分光感度に基づく各色チャンネルの信号強度をＲＩＭＭ  ＲＧＢやＥＲＩＭＭ ＲＧＢ等の標準色空間にマッピング済みであり、階調変換・鮮鋭性強調・彩度強調のような画像鑑賞時の効果を向上するためにデータ内容を改変する画像処理が省略された状態の画像データを意味する。またシーン参照画像データは、撮像装置の光電変換特性(ＩＳＯ１４５２が定義するopto-electronic conversion function, 例えばコロナ社「ファインイメージングとディジタル写真」（社）日本写真学会出版委員会編４４９頁参照)の補正を行ったものであることが好ましい。シーン参照画像データの情報量（例えば階調数）は前記Ａ／Ｄ変換器の性能に準じ、鑑賞画像参照データで必要とされる情報量（例えば階調数）と同等以上であることが好ましい。例えば鑑賞画像参照データの階調数が１チャンネルあたり8bitである場合、シーン参照画像データの階調数は12bit以上が好ましく、14bit以上がより好ましく、また16bit以上がさらに好ましい。
【００１２】
また、「撮像装置固有の装置特性を補正する処理」とは、前記の「シーン参照生データ」を「シーン参照画像データ」に変換する処理を意味する。この処理の内容はシーン参照生データの状態に依存するが、少なくとも撮像素子固有の分光感度に基づく各色チャンネルの信号強度をＲＩＭＭ  ＲＧＢやＥＲＩＭＭ ＲＧＢ等の標準色空間にマッピングする処理が含まれる。例えば、シーン参照生データが、カラーフィルタ配列に基づく補間処理を行っていない場合には、該処理の実施が加えて必要になる（カラーフィルタ配列に基づく補間処理の詳細は、例えばコロナ社「ファインイメージングとディジタル写真」（社）日本写真学会出版委員会編５１頁に記載されている。）。この結果、シーン参照生データとほぼ同一の情報量を有しつつも、異なる撮像装置間での信号値の差異が補正されたシーン参照画像データが得られる。
【００１３】
また、「再現補助データ」とは、出力媒体上での最適な鑑賞画像を形成するための画像処理を施す際に参照するデータをいう。本発明では、再現補助データの各項目を要素と呼ぶ。「再現補助データ」は、例えば、アドビシステム社推奨の画像フォーマットDigital Negative（ＤＮＧ）に従って、画像ファイル内のヘッダ部にタグ情報として記録されることが好ましい。
【００１４】
「再現補助データ」が添付される画像データがシーン参照生データである場合には、「再現補助データ」に、撮像装置固有の装置特性を補正する処理を施す際に用いる補正情報が含まれることが好ましい。この場合、「再現補助データ」には、撮像素子自体の分光感度に基づく各色チャンネルの信号強度をＲＩＭＭ ＲＧＢやＥＲＩＭＭ ＲＧＢ等の標準色空間にマッピングすることが可能になる情報、すなわち撮像素子固有の分光感度特性かＲＩＭＭ  ＲＧＢのような特定の標準色空間に変換する時に使用すべきマトリックス係数が記載されている。例えば、撮像装置の機種名だけが記載されている場合は、本処理を実施する画像処理装置や画像記録装置が機種名と前記マトリックス係数の対応表を保有していない可能性があるので十分なデータとは言えない。また例えば、本処理を実施する際に十分な情報が直接記載されていなくても、該情報のインターネット上での所在個所を示すＵＲＬが記載されている場合は、本処理を行うのに十分なデータとみなすことができる。
【００１５】
「再現補助データ」は、出力媒体上に形成される鑑賞画像の用途に応じた内容を含み、再現補助データを構成する要素の一部又は全てについて、複数の情報を持つことができることが好ましい。再現補助データを編集することにより、各データセットに用途・目的の意味付けがなされることが好ましい。さらに、複数の情報は、複数の用途に対応するものであることが好ましい。用途は少なくとも２以上が好ましく、必要に応じて３以上であってもよい。例えば、ＤＮＧフォーマットでは、タグを２セット添付することが可能である。用途が想定できないときには、用途を１つとし、最も使用頻度が高い用途に応じた情報、又は個々の用途に対し最適ではないにしても、平均的に複数の用途に対応できるような情報を記述（編集）することとしてもよい。また、用途に応じて情報が変わらない場合には、複数の用途のうち１つの用途に対応する箇所にのみ情報を記述し、どの用途でも共通に参照することとしてもよいし、同じ内容の情報をそれぞれ記述してもよい。
【００１６】
「再現補助データ」は、例えば、出力媒体・出力デバイスの種類（インクジェット／銀塩／昇華／ＣＲＴ／液晶ディスプレイ／プラズマディスプレイ）、出力サイズ（大・中・小）、観察距離（遠い／近い）、観察視野角（２°／１０°）、観察光源（Ｄ６５／Ｄ５０）、画像の再現色域（ｓＲＧＢ／ＥＲＩＭＭ／Adobe ＲＧＢ）、意図的な画像処理を施さず公的な認証に使用可能なメーカー保障画像であるか、又はノイズ除去処理・エッジ強調処理を施す観賞用画像であるか、等の用途に応じた内容を含む。
【００１７】
また、「出力媒体」とは、例えば、ＣＲＴ、液晶ディスプレイ、プラズマディスプレイ等の表示デバイスや、銀塩印画紙、インクジェットペーパー、サーマルプリンタ用紙等のハードコピー画像生成用の用紙である。
【００１８】
請求項２に記載の発明は、請求項１に記載の画像処理装置において、前記シーン参照画像データに最適な鑑賞画像を形成するための画像処理を施して鑑賞画像参照データを生成する鑑賞画像参照データ生成手段を備えたことを特徴とする。
【００１９】
ここで、「鑑賞画像参照データ」とは、ＣＲＴ、液晶ディスプレイ、プラズマディスプレイ等の表示デバイスや、銀塩印画紙、インクジェットペーパー、サーマルプリンタ用紙等の出力デバイス等の出力媒体上での鑑賞画像形成に用いるデジタル画像データを意味する。
【００２０】
また、「最適な鑑賞画像を形成するための画像処理」とは、ＣＲＴ、液晶ディスプレイ、プラズマディスプレイ等の表示デバイス、及び銀塩印画紙、インクジェットペーパー、サーマルプリンタ用紙等の出力媒体上において、最適な画像を得るための処理である。例えば、ｓＲＧＢ規格に準拠したＣＲＴディスプレイモニタに表示することを前提とした場合、ｓＲＧＢ規格の色域内で最適な色再現が得られるように処理される。銀塩印画紙への出力を前提とした場合、銀塩印画紙の色域内で最適な色再現が得られるように処理される。また色域の圧縮以外にも、１６bitから８bitへの階調圧縮、出力画素数の低減、及び出力デバイスの出力特性（ＬＵＴ）への対応処理等も含まれる。さらにノイズ抑制、鮮鋭化、グレーバランス調整処理、彩度調整、或いは覆い焼き処理等の画像処理が行われることは言うまでもない。
【００２１】
請求項３に記載の発明は、画像処理装置において、撮像装置の撮像装置特性に依存したシーン参照生データ、及び、当該シーン参照生データに付帯された再現補助データを取得するデータ取得手段と、前記シーン参照生データを用いて出力媒体上に形成される鑑賞画像の用途に応じて、前記再現補助データを構成する要素の一部又は全てを編集し、編集済み再現補助データを生成する再現補助データ編集手段と、前記編集済み再現補助データを、前記シーン参照生データに添付して記録する記録手段と、を備えたことを特徴とする。
【００２２】
請求項４に記載の発明は、請求項３に記載の画像処理装置において、前記シーン参照生データに最適な鑑賞画像を形成するための画像処理を施して鑑賞画像参照データを生成する鑑賞画像参照データ生成手段を備えたことを特徴とする。
【００２３】
請求項５に記載の発明は、請求項１〜４のいずれか一項に記載の画像処理装置において、前記再現補助データ編集手段は、前記鑑賞画像の複数の用途に応じて、前記再現補助データを構成する要素の一部又は全てに対して複数の情報を生成することを特徴とする。
【００２４】
請求項６に記載の発明は、画像処理装置において、撮像装置の撮像装置特性に依存したシーン参照生データに対し当該シーン参照生データに添付された再現補助データに基づいて前記撮像装置固有の装置特性を補正する処理が施されたシーン参照画像データ、及び、前記シーン参照画像データを用いて出力媒体上に形成される鑑賞画像の用途に応じて編集された編集済み再現補助データを取得するデータ取得手段と、前記編集済み再現補助データに基づいて、前記シーン参照画像データに最適な鑑賞画像を形成するための画像処理を施して鑑賞画像参照データを生成する鑑賞画像参照データ生成手段と、を備えたことを特徴とする。
【００２５】
請求項７に記載の発明は、画像処理装置において、撮像装置の撮像装置特性に依存したシーン参照生データ、及び、前記シーン参照生データを用いて出力媒体上に形成される鑑賞画像の用途に応じて編集された編集済み再現補助データを取得するデータ取得手段と、前記編集済み再現補助データに基づいて、前記シーン参照生データに最適な鑑賞画像を形成するための画像処理を施して鑑賞画像参照データを生成する鑑賞画像参照データ生成手段と、を備えたことを特徴とする。
【００２６】
請求項８に記載の発明は、請求項７に記載の画像処理装置において、前記鑑賞画像参照データ生成手段は、前記編集済み再現補助データに基づいて、前記シーン参照生データに前記撮像装置固有の装置特性を補正する処理を施してシーン参照画像データを生成し、前記編集済み再現補助データに基づいて、前記生成されたシーン参照画像データに前記最適な鑑賞画像を形成するための画像処理を施して前記鑑賞画像参照データを生成することを特徴とする。
【００２７】
請求項９に記載の発明は、請求項６〜８のいずれか一項に記載の画像処理装置において、前記鑑賞画像の用途に応じて、前記編集済み再現補助データを構成する要素の一部又は全てについて、前記最適な鑑賞画像を形成するための画像処理を施す際に使用するデータを選択する選択手段を備えたことを特徴とする。
【００２８】
請求項１０に記載の発明は、画像処理装置において、撮像装置の撮像装置特性に依存したシーン参照生データ、当該シーン参照生データに添付された再現補助データ、及び、撮影時の撮影条件設定である撮影情報データを取得するデータ取得手段と、前記再現補助データに基づいて、前記シーン参照生データに前記撮像装置固有の装置特性を補正する処理を施してシーン参照画像データを生成するシーン参照画像データ生成手段と、前記シーン参照画像データを用いて出力媒体上に形成される鑑賞画像の用途に応じて、前記再現補助データを構成する要素の一部又は全てを編集し、編集済み再現補助データを生成する再現補助データ編集手段と、前記編集済み再現補助データ及び撮影情報データを、前記シーン参照画像データに添付して記録する記録手段と、を備えたことを特徴とする。
【００２９】
ここで、「撮影情報データ」とは、撮影時の撮影条件設定の記録であり、Ｅｘｉｆファイルのヘッダ部に書き込まれるタグ情報と同じものを含んでもよい。具体的には露出時間、シャッタースピード、絞り値（Ｆナンバー）、ＩＳＯ感度、輝度値、被写体距離範囲、光源、ストロボ発光の有無、被写体領域、ホワイトバランス、ズーム倍率、被写体構成、撮影シーンタイプ、ストロボ光源の反射光の量、撮影彩度、被写体の種類に関する情報等を示すタグ（コード）等である。
【００３０】
「撮影情報データ」は、撮像装置の露出設定や焦点機能の自動化のために、カメラに備えられたセンサの撮影時に得た値、前記センサの値から加工されたデータ、或いは前記センサの値に基づいて設定されたカメラの撮影条件に分類されるが、これ以外にも撮像装置に備えられた、撮影モードダイヤル（例えばポートレート、スポーツ、マクロ撮影モード等）や、ストロボ強制発光の設定スイッチ等を撮影者がマニュアルで設定した情報も含まれる。
【００３１】
請求項１１に記載の発明は、請求項１０に記載の画像処理装置において、前記シーン参照画像データに最適な鑑賞画像を形成するための画像処理を施して鑑賞画像参照データを生成する鑑賞画像参照データ生成手段を備えたことを特徴とする。
【００３２】
請求項１２に記載の発明は、画像処理装置において、撮像装置の撮像装置特性に依存したシーン参照生データ、当該シーン参照生データに付帯された再現補助データ、及び、撮影時の撮影条件設定である撮影情報データを取得するデータ取得手段と、前記シーン参照生データを用いて出力媒体上に形成される鑑賞画像の用途に応じて、前記再現補助データを構成する要素の一部又は全てを編集し、編集済み再現補助データを生成する再現補助データ編集手段と、前記編集済み再現補助データ及び撮影情報データを、前記シーン参照生データに添付して記録する記録手段と、を備えたことを特徴とする。
【００３３】
請求項１３に記載の発明は、請求項１２に記載の画像処理装置において、前記シーン参照生データに最適な鑑賞画像を形成するための画像処理を施して鑑賞画像参照データを生成する鑑賞画像参照データ生成手段を備えたことを特徴とする。
【００３４】
請求項１４に記載の発明は、請求項１０〜１３のいずれか一項に記載の画像処理装置において、前記再現補助データ編集手段は、前記鑑賞画像の複数の用途に応じて、前記再現補助データを構成する要素の一部又は全てに対して複数の情報を生成することを特徴とする。
【００３５】
請求項１５に記載の発明は、画像処理装置において、撮像装置の撮像装置特性に依存したシーン参照生データに対し当該シーン参照生データに添付された再現補助データに基づいて前記撮像装置固有の装置特性を補正する処理が施されたシーン参照画像データ、前記シーン参照画像データを用いて出力媒体上に形成される鑑賞画像の用途に応じて編集された編集済み再現補助データ、及び、撮影時の撮影条件設定である撮影情報データを取得するデータ取得手段と、前記編集済み再現補助データ及び撮影情報データに基づいて、前記シーン参照画像データに最適な鑑賞画像を形成するための画像処理を施して鑑賞画像参照データを生成する鑑賞画像参照データ生成手段と、を備えたことを特徴とする。
【００３６】
請求項１６に記載の発明は、画像処理装置において、撮像装置の撮像装置特性に依存したシーン参照生データ、前記シーン参照生データを用いて出力媒体上に形成される鑑賞画像の用途に応じて編集された編集済み再現補助データ、及び、撮影時の撮影条件設定である撮影情報データを取得するデータ取得手段と、前記編集済み再現補助データ及び撮影情報データに基づいて、前記シーン参照生データに最適な鑑賞画像を形成するための画像処理を施して鑑賞画像参照データを生成する鑑賞画像参照データ生成手段と、を備えたことを特徴とする。
【００３７】
請求項１７に記載の発明は、請求項１６に記載の画像処理装置において、前記鑑賞画像参照データ生成手段は、前記編集済み再現補助データに基づいて、前記シーン参照生データに前記撮像装置固有の装置特性を補正する処理を施してシーン参照画像データを生成し、前記編集済み再現補助データ及び撮影情報データに基づいて、前記生成されたシーン参照画像データに前記最適な鑑賞画像を形成するための画像処理を施して前記鑑賞画像参照データを生成することを特徴とする。
【００３８】
請求項１８に記載の発明は、請求項１５〜１７のいずれか一項に記載の画像処理装置において、前記鑑賞画像の用途に応じて、前記編集済み再現補助データを構成する要素の一部又は全てについて、前記最適な鑑賞画像を形成するための画像処理を施す際に使用するデータを選択する選択手段を備えたことを特徴とする。
【００３９】
請求項１９に記載の発明は、画像記録装置において、請求項１〜１８のいずれか一項に記載の画像処理装置と、出力媒体上に鑑賞画像を形成する画像形成手段と、を備えたことを特徴とする。
【００４０】
請求項２０に記載の発明は、画像処理方法において、撮像装置の撮像装置特性に依存したシーン参照生データ、及び、当該シーン参照生データに添付された再現補助データを取得するデータ取得工程と、前記再現補助データに基づいて、前記シーン参照生データに前記撮像装置固有の装置特性を補正する処理を施してシーン参照画像データを生成するシーン参照画像データ生成工程と、前記シーン参照画像データを用いて出力媒体上に形成される鑑賞画像の用途に応じて、前記再現補助データを構成する要素の一部又は全てを編集し、編集済み再現補助データを生成する再現補助データ編集工程と、前記編集済み再現補助データを、前記シーン参照画像データに添付して記録する記録工程と、を含むことを特徴とする。
【００４１】
請求項２１に記載の発明は、請求項２０に記載の画像処理方法において、前記シーン参照画像データに最適な鑑賞画像を形成するための画像処理を施して鑑賞画像参照データを生成する鑑賞画像参照データ生成工程を含むことを特徴とする。
【００４２】
請求項２２に記載の発明は、画像処理方法において、撮像装置の撮像装置特性に依存したシーン参照生データ、及び、当該シーン参照生データに付帯された再現補助データを取得するデータ取得工程と、前記シーン参照生データを用いて出力媒体上に形成される鑑賞画像の用途に応じて、前記再現補助データを構成する要素の一部又は全てを編集し、編集済み再現補助データを生成する再現補助データ編集工程と、前記編集済み再現補助データを、前記シーン参照生データに添付して記録する記録工程と、を含むことを特徴とする。
【００４３】
請求項２３に記載の発明は、請求項２２に記載の画像処理方法において、前記シーン参照生データに最適な鑑賞画像を形成するための画像処理を施して鑑賞画像参照データを生成する鑑賞画像参照データ生成工程を含むことを特徴とする。
【００４４】
請求項２４に記載の発明は、請求項２０〜２３のいずれか一項に記載の画像処理方法において、前記再現補助データ編集工程では、前記鑑賞画像の複数の用途に応じて、前記再現補助データを構成する要素の一部又は全てに対して複数の情報を生成することを特徴とする。
【００４５】
請求項２５に記載の発明は、画像処理方法において、撮像装置の撮像装置特性に依存したシーン参照生データに対し当該シーン参照生データに添付された再現補助データに基づいて前記撮像装置固有の装置特性を補正する処理が施されたシーン参照画像データ、及び、前記シーン参照画像データを用いて出力媒体上に形成される鑑賞画像の用途に応じて編集された編集済み再現補助データを取得するデータ取得工程と、前記編集済み再現補助データに基づいて、前記シーン参照画像データに最適な鑑賞画像を形成するための画像処理を施して鑑賞画像参照データを生成する鑑賞画像参照データ生成工程と、を含むことを特徴とする。
【００４６】
請求項２６に記載の発明は、画像処理方法において、撮像装置の撮像装置特性に依存したシーン参照生データ、及び、前記シーン参照生データを用いて出力媒体上に形成される鑑賞画像の用途に応じて編集された編集済み再現補助データを取得するデータ取得工程と、前記編集済み再現補助データに基づいて、前記シーン参照生データに最適な鑑賞画像を形成するための画像処理を施して鑑賞画像参照データを生成する鑑賞画像参照データ生成工程と、を含むことを特徴とする。
【００４７】
請求項２７に記載の発明は、請求項２６に記載の画像処理方法において、前記鑑賞画像参照データ生成工程では、前記編集済み再現補助データに基づいて、前記シーン参照生データに前記撮像装置固有の装置特性を補正する処理を施してシーン参照画像データを生成し、前記編集済み再現補助データに基づいて、前記生成されたシーン参照画像データに前記最適な鑑賞画像を形成するための画像処理を施して前記鑑賞画像参照データを生成することを特徴とする。
【００４８】
請求項２８に記載の発明は、請求項２５〜２７のいずれか一項に記載の画像処理方法において、前記鑑賞画像の用途に応じて、前記編集済み再現補助データを構成する要素の一部又は全てについて、前記最適な鑑賞画像を形成するための画像処理を施す際に使用するデータを選択する選択工程を含むことを特徴とする。
【００４９】
請求項２９に記載の発明は、画像処理方法において、撮像装置の撮像装置特性に依存したシーン参照生データ、当該シーン参照生データに添付された再現補助データ、及び、撮影時の撮影条件設定である撮影情報データを取得するデータ取得工程と、前記再現補助データに基づいて、前記シーン参照生データに前記撮像装置固有の装置特性を補正する処理を施してシーン参照画像データを生成するシーン参照画像データ生成工程と、前記シーン参照画像データを用いて出力媒体上に形成される鑑賞画像の用途に応じて、前記再現補助データを構成する要素の一部又は全てを編集し、編集済み再現補助データを生成する再現補助データ編集工程と、前記編集済み再現補助データ及び撮影情報データを、前記シーン参照画像データに添付して記録する記録工程と、を含むことを特徴とする。
【００５０】
請求項３０に記載の発明は、請求項２９に記載の画像処理方法において、前記シーン参照画像データに最適な鑑賞画像を形成するための画像処理を施して鑑賞画像参照データを生成する鑑賞画像参照データ生成工程を含むことを特徴とする。
【００５１】
請求項３１に記載の発明は、画像処理方法において、撮像装置の撮像装置特性に依存したシーン参照生データ、当該シーン参照生データに付帯された再現補助データ、及び、撮影時の撮影条件設定である撮影情報データを取得するデータ取得工程と、前記シーン参照生データを用いて出力媒体上に形成される鑑賞画像の用途に応じて、前記再現補助データを構成する要素の一部又は全てを編集し、編集済み再現補助データを生成する再現補助データ編集工程と、前記編集済み再現補助データ及び撮影情報データを、前記シーン参照生データに添付して記録する記録工程と、を含むことを特徴とする。
【００５２】
請求項３２に記載の発明は、請求項３１に記載の画像処理方法において、前記シーン参照生データに最適な鑑賞画像を形成するための画像処理を施して鑑賞画像参照データを生成する鑑賞画像参照データ生成工程を含むことを特徴とする。
【００５３】
請求項３３に記載の発明は、請求項２９〜３２のいずれか一項に記載の画像処理方法において、前記再現補助データ編集工程では、前記鑑賞画像の複数の用途に応じて、前記再現補助データを構成する要素の一部又は全てに対して複数の情報を生成することを特徴とする。
【００５４】
請求項３４に記載の発明は、画像処理方法において、撮像装置の撮像装置特性に依存したシーン参照生データに対し当該シーン参照生データに添付された再現補助データに基づいて前記撮像装置固有の装置特性を補正する処理が施されたシーン参照画像データ、前記シーン参照画像データを用いて出力媒体上に形成される鑑賞画像の用途に応じて編集された編集済み再現補助データ、及び、撮影時の撮影条件設定である撮影情報データを取得するデータ取得工程と、前記編集済み再現補助データ及び撮影情報データに基づいて、前記シーン参照画像データに最適な鑑賞画像を形成するための画像処理を施して鑑賞画像参照データを生成する鑑賞画像参照データ生成工程と、を含むことを特徴とする。
【００５５】
請求項３５に記載の発明は、画像処理方法において、撮像装置の撮像装置特性に依存したシーン参照生データ、前記シーン参照生データを用いて出力媒体上に形成される鑑賞画像の用途に応じて編集された編集済み再現補助データ、及び、撮影時の撮影条件設定である撮影情報データを取得するデータ取得工程と、前記編集済み再現補助データ及び撮影情報データに基づいて、前記シーン参照生データに最適な鑑賞画像を形成するための画像処理を施して鑑賞画像参照データを生成する鑑賞画像参照データ生成工程と、を含むことを特徴とする。
【００５６】
請求項３６に記載の発明は、請求項３５に記載の画像処理方法において、前記鑑賞画像参照データ生成工程では、前記編集済み再現補助データに基づいて、前記シーン参照生データに前記撮像装置固有の装置特性を補正する処理を施してシーン参照画像データを生成し、前記編集済み再現補助データ及び撮影情報データに基づいて、前記生成されたシーン参照画像データに前記最適な鑑賞画像を形成するための画像処理を施して前記鑑賞画像参照データを生成することを特徴とする。
【００５７】
請求項３７に記載の発明は、請求項３４〜３６のいずれか一項に記載の画像処理方法において、前記鑑賞画像の用途に応じて、前記編集済み再現補助データを構成する要素の一部又は全てについて、前記最適な鑑賞画像を形成するための画像処理を施す際に使用するデータを選択する選択工程を含むことを特徴とする。
【発明の効果】
【００５８】
請求項１、２０に記載の発明によれば、出力媒体上に形成される鑑賞画像の用途に応じて、再現補助データを構成する要素の一部又は全てを編集し、編集済み再現補助データを、シーン参照画像データに添付して記録するので、基本となる特性を持ったシーン参照画像データを保持しつつ、後に鑑賞画像を形成する際に用いる情報を編集済み再現補助データとして添付することができる。したがって、撮像画像情報の情報損失を伴うことなく、用途に応じて最適な画像を得るための情報を外部の装置に提供することができる。
【００５９】
請求項２、２１に記載の発明によれば、シーン参照画像データに最適な鑑賞画像を形成するための画像処理を施して鑑賞画像参照データを生成するので、高画質な鑑賞画像を提供することができる。
【００６０】
請求項３、２２に記載の発明によれば、出力媒体上に形成される鑑賞画像の用途に応じて、再現補助データを構成する要素の一部又は全てを編集し、編集済み再現補助データを、シーン参照生データに添付して記録するので、シーン参照生データを保持しつつ、後に鑑賞画像を形成する際に用いる情報を編集済み再現補助データとして添付することができる。したがって、撮像画像情報の情報損失を伴うことなく、用途に応じて最適な画像を得るための情報を外部の装置に提供することができる。また、編集済み再現補助データをシーン参照画像データに添付して記録する場合と比較して、サイズ容量が小さいという利点がある。
【００６１】
請求項４、２３に記載の発明によれば、シーン参照生データに最適な鑑賞画像を形成するための画像処理を施して鑑賞画像参照データを生成するので、高画質な鑑賞画像を提供することができる。
【００６２】
請求項５、２４に記載の発明によれば、鑑賞画像の複数の用途に応じて、再現補助データを構成する要素の一部又は全てに対して複数の情報を生成するので、１つの画像を複数の用途に対応可能とすることができる。
【００６３】
請求項６、２５に記載の発明によれば、シーン参照画像データ及び編集済み再現補助データを取得し、編集済み再現補助データに基づいて、シーン参照画像データに最適な鑑賞画像を形成するための画像処理を施して鑑賞画像参照データを生成するので、用途に応じて最適な鑑賞画像を提供することができる。
【００６４】
請求項７、２６に記載の発明によれば、シーン参照生データ及び編集済み再現補助データを取得し、編集済み再現補助データに基づいて、シーン参照生データに最適な鑑賞画像を形成するための画像処理を施して鑑賞画像参照データを生成するので、用途に応じて最適な鑑賞画像を提供することができる。画像情報がシーン参照生データとして記録されているため、ファイル容量が抑えられているにもかかわらず、請求項６、２５と同様の効果を得ることができる。
【００６５】
請求項８、２７に記載の発明によれば、編集済み再現補助データに基づいて、シーン参照生データに撮像装置固有の装置特性を補正する処理を施してシーン参照画像データを生成し、編集済み再現補助データに基づいて、生成されたシーン参照画像データに最適な鑑賞画像を形成するための画像処理を施して鑑賞画像参照データを生成することができる。
【００６６】
請求項９、２８に記載の発明によれば、鑑賞画像の用途に応じて、編集済み再現補助データを構成する要素の一部又は全てについて、最適な鑑賞画像を形成するための画像処理を施す際に使用するデータを選択するので、用途に応じて最適な鑑賞画像を提供することができる。
【００６７】
請求項１０、２９に記載の発明によれば、出力媒体上に形成される鑑賞画像の用途に応じて、再現補助データを構成する要素の一部又は全てを編集し、編集済み再現補助データ及び撮影情報データを、シーン参照画像データに添付して記録するので、基本となる特性を持ったシーン参照画像データを保持しつつ、後に鑑賞画像を形成する際に用いる編集済み再現補助データ及び撮影情報データを添付することができる。したがって、撮像画像情報の情報損失を伴うことなく、用途に応じて最適な画像を得るための情報を外部の装置に提供することができる。
【００６８】
請求項１１、３０に記載の発明によれば、シーン参照画像データに最適な鑑賞画像を形成するための画像処理を施して鑑賞画像参照データを生成するので、高画質な鑑賞画像を提供することができる。
【００６９】
請求項１２、３１に記載の発明によれば、出力媒体上に形成される鑑賞画像の用途に応じて、再現補助データを構成する要素の一部又は全てを編集し、編集済み再現補助データ及び撮影情報データを、シーン参照生データに添付して記録するので、シーン参照生データを保持しつつ、後に鑑賞画像を形成する際に用いる編集済み再現補助データ及び撮影情報データを添付することができる。したがって、撮像画像情報の情報損失を伴うことなく、用途に応じて最適な画像を得るための情報を外部の装置に提供することができる。また、編集済み再現補助データ及び撮影情報データをシーン参照画像データに添付して記録する場合と比較して、サイズ容量が小さいという利点がある。
【００７０】
請求項１３、３２に記載の発明によれば、シーン参照生データに最適な鑑賞画像を形成するための画像処理を施して鑑賞画像参照データを生成するので、高画質な鑑賞画像を提供することができる。
【００７１】
請求項１４、３３に記載の発明によれば、鑑賞画像の複数の用途に応じて、再現補助データを構成する要素の一部又は全てに対して複数の情報を生成するので、１つの画像を複数の用途に対応可能とすることができる。
【００７２】
請求項１５、３４に記載の発明によれば、シーン参照画像データ、編集済み再現補助データ及び撮影情報データを取得し、編集済み再現補助データ及び撮影情報データに基づいて、シーン参照画像データに最適な鑑賞画像を形成するための画像処理を施して鑑賞画像参照データを生成するので、用途に応じて最適な鑑賞画像を提供することができる。
【００７３】
請求項１６、３５に記載の発明によれば、シーン参照生データ、編集済み再現補助データ及び撮影情報データを取得し、編集済み再現補助データ及び撮影情報データに基づいて、シーン参照生データに最適な鑑賞画像を形成するための画像処理を施して鑑賞画像参照データを生成するので、用途に応じて最適な鑑賞画像を提供することができる。画像情報がシーン参照生データとして記録されているため、ファイル容量が抑えられているにもかかわらず、請求項１５、３４と同様の効果を得ることができる。
【００７４】
請求項１７、３６に記載の発明によれば、編集済み再現補助データに基づいて、シーン参照生データに撮像装置固有の装置特性を補正する処理を施してシーン参照画像データを生成し、編集済み再現補助データ及び撮影情報データに基づいて、生成されたシーン参照画像データに最適な鑑賞画像を形成するための画像処理を施して鑑賞画像参照データを生成することができる。
【００７５】
請求項１８、３７に記載の発明によれば、鑑賞画像の用途に応じて、編集済み再現補助データを構成する要素の一部又は全てについて、最適な鑑賞画像を形成するための画像処理を施す際に使用するデータを選択するので、用途に応じて最適な鑑賞画像を提供することができる。
【００７６】
請求項１９に記載の発明によれば、編集済み再現補助データを、シーン参照画像データ又はシーン参照生データに添付して記録したり、編集済み再現補助データが添付されたシーン参照画像データ又はシーン参照生データを使用したりすることにより、撮像画像情報の情報損失を伴うことなく、用途に応じて最適な画像を得ることができる。
【発明を実施するための最良の形態】
【００７７】
［第１の実施の形態］
図１〜図１２を参照して、本発明の第１の実施の形態を説明する。
【００７８】
＜撮像装置２１の構成＞
まず、第１の実施の形態における画像処理装置において使用するシーン参照生データを生成する撮像装置２１について説明する。
【００７９】
まず、撮像装置２１の構成を説明する。
図１は、撮像装置２１の機能的構成を示すブロック図である。図１に示すように、撮像装置２１は、レンズ１、絞り２、ＣＣＤ３、アナログ処理回路４、Ａ／Ｄ変換器５、一時記憶メモリ６、画像処理部７、ヘッダ情報処理部８、記憶デバイス９、ＣＣＤ駆動回路１０、制御部１１、装置特性補正情報処理部１３、操作部１４、表示部１５、ストロボ駆動回路１６、ストロボ１７、焦点距離調整回路１８、自動焦点駆動回路１９、モータ２０等を備えて構成されている。
【００８０】
撮像装置２１の光学系は、レンズ１、絞り２、ＣＣＤ（固体撮像素子）３を備えて構成されている。
レンズ１は、フォーカスの調節を行い、被写体の光画像を結像する。絞り２は、レンズ１を透過した光束の光量を調節する。ＣＣＤ３は、レンズ１により受光面上に結像された被写体光を、ＣＣＤ３内のセンサ毎に光の入射量に応じた量の電気的な信号（撮像信号）へ光電変換する。そして、ＣＣＤ３は、ＣＣＤ駆動回路１０から出力されるタイミングパルスに制御されることにより、この撮像信号をアナログ処理回路４へ順次出力する。
【００８１】
アナログ処理回路４は、ＣＣＤ３から入力された撮像信号に対して、Ｒ、Ｇ、Ｂ信号の増幅やノイズの低減処理等を行う。このアナログ処理回路４における処理は、操作部１４からの操作信号に応じ制御部１１を介してＯＮ／ＯＦＦが切り替えられるようになっている。
【００８２】
Ａ／Ｄ変換器５は、アナログ処理回路４から入力された撮像信号をデジタル画像データに変換して出力する。
一時記憶メモリ６は、バッファメモリ等であり、Ａ／Ｄ変換器５から出力されたデジタル画像データを一時格納する。
【００８３】
画像処理部７は、表示部１５での表示に用いるデジタル画像データの階調補正、分光感度のクロストーク補正、暗電流ノイズ抑制、鮮鋭化、ホワイトバランス調整、彩度調整等の画質向上処理の他、画像サイズの変更、トリミング、アスペクト変換等の処理を行う。この画像処理部７における処理は、操作部１４からの操作信号に応じ制御部１１を介してＯＮ／ＯＦＦが切り替えられるようになっている。
【００８４】
ヘッダ情報処理部８は、一時記憶メモリ６に格納されたデジタル画像データに対して、装置特性補正情報処理部１３により生成された撮像装置特性補正データｄ１をヘッダ情報として書き込み処理する。
【００８５】
記憶デバイス９は、不揮発性の半導体メモリ等により構成されており、撮影されたデジタル画像データを記録するメモリカード等の記録メディアと、撮像装置２１の制御プログラムが記憶された読み出し可能なメモリとにより構成されている。
【００８６】
記録メディアとは、撮像装置２１が出力するデータの保存に用いる記憶媒体であって、コンパクトフラッシュ（登録商標）、メモリースティック、スマートメディア、マルチメディアカード、ハードディスク、フロッピー（登録商標）ディスク、磁気記憶媒体（ＭＯ）、或いはＣＤ−Ｒ等何れであってもよい。また、記憶媒体に書き込むユニットは、撮像装置と一体であっても、コードを介して有線状態で接続された書き込みユニット、通信やインターネットを介して無線状態で接続された独立、或いは遠隔地に設置されたユニット等の何れの態様であってもよい。記録メディアに記録する時のファイル形式は、撮像装置固有の形式ではなく、ＴＩＦＦ（Tagged Image File Format）、ＪＰＥＧ（Joint Photographic Experts Group）、Ｅｘｉｆ（Exchangeable Image File Format）等の規格化された汎用のファイル形式で記録されるのが好ましい。
【００８７】
ＣＣＤ駆動回路１０は、制御部１１から出力される制御信号をもとにタイミングパルスを出力し、ＣＣＤ３の駆動制御を行う。
【００８８】
制御部１１は、ＣＰＵ（Central Processing Unit）等により構成され、記憶デバイス９に記憶されている撮像装置２１の制御プログラムを読み出して、読み出したプログラムに従って撮像装置２１全体の制御を行う。具体的には、制御部１１は、自動焦点駆動回路１９、焦点距離調整回路１８、ＣＣＤ駆動回路１０、アナログ処理回路４、一時記憶メモリ６、画像処理部７、操作部１４、表示部１５、ストロボ駆動回路１６及び装置特性補正情報処理部１３の制御を行い、撮影を行う。
【００８９】
制御部１１は、操作部１４によりシーン参照生データの出力が指定されると、後述するシーン参照生データ保存処理を行い、撮影時におけるアナログ処理回路４における信号増幅やノイズの低減処理や画像処理部７における処理を省略し、記憶デバイス９の記録メディアに、撮像装置特性補正データｄ１をヘッダ情報として書き込むとともに、撮影されたデジタル画像データをシーン参照生データｄ２として記録する。
【００９０】
装置特性補正情報処理部１３は、操作部１４からの操作信号により、制御部１１の制御下においてアナログ処理回路４及び画像処理部７での処理を行わないシーン参照生データｄ２を記憶デバイス９の記録メディアに記録する場合に、このシーン参照生データｄ２をＲＩＭＭ  ＲＧＢ、ＥＲＩＭＭ ＲＧＢ等の標準化された色空間のシーン参照画像データｄ４に変換するために必要な情報として撮像装置特性補正データｄ１を生成し、ヘッダ情報処理部８に出力する。この撮像装置特性補正データｄ１は、特許請求の範囲に記載の「再現補助データ」に相当するものである。
【００９１】
操作部１４には、図示しないレリーズボタン、電源のＯＮ／ＯＦＦボタン、ズームボタン等の各種機能ボタン、カーソルキー等が設けられ、各ボタンやキーに対応する操作信号を入力信号として制御部１１に出力する。本実施の形態において、操作部１４は、シーン参照生データの出力を指定するための機能ボタンを備えている。
【００９２】
表示部１５は、制御部１１からの制御信号により、デジタル画像データを表示するとともに、撮像装置２１の使用者が撮影に関する設定や条件を確認するための情報を表示する。
【００９３】
ストロボ駆動回路１６は、制御部１１からの制御信号により、被写体輝度が低い時にストロボ１７を駆動制御して発光させる。
ストロボ１７は、電池電圧を所定の高電圧に昇圧させ、電荷をコンデンサに蓄える。そして、ストロボ駆動回路１６により駆動されることにより、コンデンサに蓄えられた電荷によりＸ管を発光して、被写体に対して補助光を照射する。
【００９４】
焦点距離調整回路１８は、制御部１１からの制御信号により、レンズ１を移動させて焦点距離を調整するためのモータ２０の制御を行う。
自動焦点駆動回路１９は、制御部１１からの制御信号により、レンズ１を移動させてフォーカス（ピント）を調整するためのモータ２０の制御を行う。
【００９５】
＜撮像装置２１の動作＞
次に、撮像装置２１の動作について説明する。
図２は、操作部１４により、撮影されたデジタル画像データのシーン参照生データによる出力が設定され、レリーズスイッチが押下された際に、制御部１１の制御により実行されるシーン参照生データ保存処理Ａを示すフローチャートである。以下、図２を参照してシーン参照生データ保存処理Ａについて説明する。
【００９６】
操作部１４のレリーズボタンが押下されると、制御部１１により、各部が制御され撮影が行われる（ステップＳ１）。ＣＣＤ３から得られた撮像信号は、Ａ／Ｄ変換器５によりデジタル画像データに変換され、シーン参照生データｄ２が生成される（ステップＳ２）。また、制御部１１の制御に従って、装置特性補正情報処理部１３により、生成されたシーン参照生データｄ２に撮像装置固有の装置特性を補正する処理（以下、撮像装置特性補正処理という。）を施す際に必要なデータ、すなわち、撮像装置特性補正データｄ１が生成される（ステップＳ３）。
【００９７】
シーン参照生データｄ２及び撮像装置特性補正データｄ１の生成後、制御部１１の制御に従って、ヘッダ情報処理部８により、シーン参照生データｄ２のファイルヘッダに撮像装置特性補正データｄ１がタグ情報として記録、添付され（ステップＳ４）、添付済みのデータファイルが作成される（ステップＳ５）。例えば、撮像装置特性補正データｄ１は、ＤＮＧフォーマットに従って記録される。この添付済みのデータファイルは、撮像装置２１に着脱可能に構成された記憶デバイス９の記録メディアに記録、保存される（ステップＳ６）。
【００９８】
図３は、ステップＳ６で記憶デバイス９の記録メディアに記録されるデジタル画像データのデータ構造を示す図である。図３に示すように、撮影されたデジタル画像データは、シーン参照生データｄ２として記録され、そのヘッダ領域に、撮像装置特性補正データｄ１が記録されている。この記録メディアを撮像装置２１から取り出して、画像処理装置や画像記録装置等の外部装置に装着することにより、シーン参照生データｄ２及び撮像装置特性補正データｄ１をこれらの外部装置に出力することができる。
【００９９】
＜撮像装置２２の構成＞
次に、デジタル画像データの出力先においてより一層好ましい画像を得るために、撮像装置２１の構成に撮影情報データ処理部１２を追加して構成される撮像装置２２について説明する。図４に、撮像装置２２の機能的構成を示すブロック図を示す。
【０１００】
撮影情報データ処理部１２は、撮影情報データｄ３を生成する。撮影情報データｄ３は、例えばカメラ名称やコード番号等、カメラ種別（機種）に直接関係する情報、或いは露出時間、シャッタースピード、絞り値（Ｆナンバー）、ＩＳＯ感度、輝度値、被写体距離範囲、光源、ストロボ発光の有無、被写体領域、ホワイトバランス、ズーム倍率、被写体構成、撮影シーンタイプ、ストロボ光源の反射光の量、撮影彩度等の撮影条件設定や、被写体の種類に関する情報等である。
【０１０１】
＜撮像装置２２の動作＞
図５は、図４に示す撮像装置２２において、操作部１４により、撮影されたデジタル画像データのシーン参照生データによる出力が設定され、レリーズスイッチが押下された際に、制御部１１の制御により実行されるシーン参照生データ保存処理Ｂを示すフローチャートである。以下、図５を参照してシーン参照生データ保存処理Ｂについて説明する。
【０１０２】
操作部１４のレリーズボタンが押下されると、制御部１１により、各部が制御され撮影が行われる（ステップＳ１１）。ＣＣＤ３から得られた撮像信号は、Ａ／Ｄ変換器５によりデジタル画像データに変換され、シーン参照生データｄ２が生成される（ステップＳ１２）。また、装置特性補正情報処理部１３により撮像装置特性補正データｄ１が生成され（ステップＳ１３）、撮影情報データ処理部１２により撮影情報データｄ３が生成される（ステップＳ１４）。
【０１０３】
シーン参照生データｄ２、撮像装置特性補正データｄ１及び撮影情報データｄ３の生成後、シーン参照生データｄ２のファイルヘッダに撮像装置特性補正データｄ１及び撮影情報データｄ３がタグ情報として記録、添付され（ステップＳ１５）、添付済みのデータファイルが作成される（ステップＳ１６）。例えば、撮像装置特性補正データｄ１はＤＮＧタグに記録され、撮影情報データｄ３はＥｘｉｆタグに記録される。この添付済みのデータファイルは、撮像装置２２に着脱可能に構成された記憶デバイス９の記録メディアに記録、保存される（ステップＳ１７）。
【０１０４】
図６は、ステップＳ１７で記憶デバイス９の記録メディアに記録されるデジタル画像データのデータ構造を示す図である。図６に示すように、撮影されたデジタル画像データは、シーン参照生データｄ２として記録され、そのヘッダ領域に、撮像装置特性補正データｄ１及び撮影情報データｄ３が記録されている。この記録メディアを撮像装置２２から取り出して、画像処理装置や画像記録装置等の外部装置に装着することにより、シーン参照生データｄ２、撮像装置特性補正データｄ１及び撮影情報データｄ３をこれらの外部装置に出力することができる。
【０１０５】
以上、撮像装置２１及び撮像装置２２について説明したが、これらはシーン参照生データ、再現補助データ、撮影情報データを生成する装置の一例に過ぎず、カラーネガフィルム、カラーリバーサルフィルム、白黒ネガフィルム、白黒リバーサルフィルム等、アナログカメラにより記録された写真感光材料の駒画像データを入力するフィルムスキャナや、銀塩印画紙であるカラーペーパー上に再現された画像データ、その他の反射原稿、透過原稿上に再現された画像データを入力するフラットベッドスキャナ等を使用して画像データを取得し、これに基づいてデータを生成する形態でもよい。
【０１０６】
＜画像処理装置１２１の構成＞
次に、本発明の第１の実施の形態における画像処理装置１２１について説明する。
まず、画像処理装置１２１の構成を説明する。
図７は、画像処理装置１２１の機能的構成を示すブロック図である。図７に示すように、画像処理装置１２１は、入力部１０１、ヘッダ情報解析部１０２、撮像装置特性補正データｄ１に基づいてシーン参照生データｄ２に撮像装置特性補正処理を施してシーン参照画像データｄ４を生成する撮像装置特性補正処理部１１４、撮像装置特性補正処理部１１４により生成されたシーン参照画像データｄ４に最適な鑑賞画像を形成するための画像処理（以下、最適化処理という。）を施して鑑賞画像参照データｄ５を生成する最適化処理部１１５により構成されている。撮像装置特性補正処理部１１４と、最適化処理部１１５にはヘッダ情報解析部１０２がそれぞれ接続されており、さらに最適化処理部１１５には、記憶デバイス１１１、出力デバイス１１２、表示デバイス１１３がそれぞれ接続可能な状態となっている。以上の各構成要素はＣＰＵ等により構成される制御部（図示せず）の統括的な制御下において動作する。
【０１０７】
入力部１０１は、記録メディア装着部（図示せず）を備えている。この装着部に、上述した撮像装置２１、２２により撮影されたデータのファイル（図３、図６参照）が記録された記録メディアが装着されると、入力部１０１は、記録されたデータファイルを読み出して、ヘッダ情報解析部１０２へ出力する。なお、本実施の形態においては、入力部１０１は、装着された記録メディアからデータを読み出すこととして説明するが、記録メディア又は上述した撮像装置２１，２２等から、データ通信ケーブルや、無線又は有線の通信手段を介してデータを入力するようにしてもよい。入力部１０１は、特許請求の範囲に記載の画像処理装置のデータ取得手段としての機能を有する。
【０１０８】
ヘッダ情報解析部１０２は、入力部１０１から入力されたデータを解析し、シーン参照生データｄ２と、シーン参照生データｄ２に添付された撮像装置特性補正データｄ１と、撮影情報データｄ３とに分け、撮像装置特性補正データｄ１を装置特性補正処理部１０３ａへ、シーン参照生データｄ２をシーン参照画像データ生成部１０４へ、撮影情報データｄ３を撮影情報データ処理部１０７へ出力する。
【０１０９】
撮像装置特性補正処理部１１４は、図７に示すように、装置特性補正処理部１０３ａ、処理条件テーブル１０３ｂ、シーン参照画像データ生成部１０４、一時記憶メモリ１０５及びヘッダ情報編集部１０６を有して構成されている。撮像装置特性補正処理部１１４は、特許請求の範囲に記載の画像処理装置のシーン参照画像データ生成手段としての機能を有する。
【０１１０】
装置特性補正処理部１０３ａは、ヘッダ情報解析部１０２から撮像装置特性補正データｄ１が入力されると、処理条件テーブル１０３ｂの参照により、シーン参照画像データｄ４の生成条件を決定する。処理条件テーブル１０３ｂは、撮像装置の特性毎に、シーン参照画像データｄ４を生成するための処理条件を対応付けて記憶するテーブルである。
【０１１１】
シーン参照画像データ生成部１０４は、ヘッダ情報解析部１０２から入力されたシーン参照生データｄ２に対して、装置特性補正処理部１０３ａにより決定された生成条件により撮像装置特性補正処理を施して撮像装置特性に依存しないシーン参照画像データｄ４を生成し、一時記憶メモリ１０５に出力する。具体的には、撮像装置特性補正処理には、少なくともシーン参照生データｄ２を生成した撮像装置の撮像素子固有の分光感度に基づく各色チャンネルの信号強度を、例えばＲＩＭＭ  ＲＧＢやＥＲＩＭＭ ＲＧＢ等の標準色空間にマッピングする処理が含まれる。
【０１１２】
一時記憶メモリ１０５は、シーン参照画像データ生成部１０４により生成されたシーン参照画像データｄ４、ヘッダ情報編集部１０６により生成された編集済み再現補助データｄ６、及び撮影情報データ処理部１０７から出力された撮影情報データｄ３を一時的に記憶する。
【０１１３】
ヘッダ情報編集部１０６は、ヘッダ情報解析部１０２から入力された撮像装置特性補正データｄ１を構成する要素の一部又は全てを編集し、編集済み再現補助データｄ６を生成する。編集とは、撮像装置特性補正データｄ１（再現補助データ）がｍセット（ｍは０以上の整数）存在した場合に、ｎセット（ｎは１以上の整数）を追加することや、既存の又は追加された各セットの記述内容を、必要に応じて追記、修正、削除等を行う処理を意味する。ヘッダ情報編集部１０６は、特許請求の範囲に記載の画像処理装置の再現補助データ編集手段としての機能を有する。
【０１１４】
また、ヘッダ情報編集部１０６は、編集済み再現補助データｄ６を、一時記憶メモリ１０５に格納されたシーン参照画像データｄ４のヘッダ情報として書き込み、記憶デバイス１１１の記録メディアに記録する。シーン参照画像データｄ４に、編集済み再現補助データｄ６及び撮影情報データｄ３を添付して記録する場合には、編集済み再現補助データｄ６及び撮影情報データｄ３を、シーン参照画像データｄ４のヘッダ情報として書き込み、記憶デバイス１１１の記録メディアに記録する。
【０１１５】
図８（ａ）に、編集前の再現補助データ（撮像装置特性補正データｄ１）、図８（ｂ）〜（ｈ）に、編集後の編集済み再現補助データの例を示す。図８（ｂ）に示す再現補助データは、図８（ａ）に示す再現補助データの要素１の情報を修正したものである。図８（ｃ）に示す再現補助データは、図８（ａ）に示す再現補助データに、要素６の情報を追加したものである。図８（ｄ）及び（ｅ）に示す再現補助データは、図８（ａ）に示す再現補助データに、別の用途２に対応した情報を追加したものである。図８（ｄ）に示すように、用途毎に全ての情報を記述してもよいが、用途が異なる場合でも同じ情報の要素がある場合には、図８（ｅ）に示すように、所定の用途にのみ情報を記述し、共通に使用することとしてもよい。また、図８（ｆ）に示すように、特定の用途にのみ必要な要素を設定することも可能である。また、図８（ｇ）及び（ｈ）に示すように、編集前の再現補助データの用途を継承せずに、用途２、又は用途２・用途３についてのみの情報を記述することとしてもよい。
【０１１６】
また、再現補助データがシーン参照生データｄ２に添付される場合には、図９に示すように、用途の１つとして、シーン参照生データｄ２をシーン参照画像データｄ４に変換するための情報、すなわち、撮像装置特性補正データｄ１が記述されていることが好ましい。シーン参照生データｄ２をシーン参照画像データｄ４に変換するために必要な情報であって、シーン参照画像データｄ４を鑑賞画像参照データｄ５に変換するためには不必要な情報（例えば、撮像装置のＣＣＤ配列がベイヤー配列であるか、ハニカム配列であるか等）については、撮像装置特性補正データｄ１に対応する箇所にのみ記述すればよい。
【０１１７】
再現補助データは、再現補助データを構成する複数の要素に対して、用途毎に複数の情報をもつことが好ましい。図１０に、再現補助データの具体例を示す。用途に応じて異なる情報を記述してもよいし（例えば、図１０の要素５，要素６等）、用途に応じて情報が変わらない場合には、複数の用途のうち１つを選択し、対応する箇所にのみ情報を記述し、共通に参照することとしてもよいし（例えば、図１０の要素１，要素２等）、同じ内容の情報を記述してもよい（例えば、図１０の要素４，要素８等）。再現補助データを構成する要素として、ＤＮＧタグに記述される内容等が挙げられる。
【０１１８】
図７に示すように、最適化処理部１１５は、撮影情報データ処理部１０７、鑑賞画像参照データ生成部１０８、一時記憶メモリ１０９及び設定入力部１１０を有して構成されている。最適化処理部１１５は、特許請求の範囲に記載の画像処理装置の鑑賞画像参照データ生成手段としての機能を有する。
【０１１９】
撮影情報データ処理部１０７は、ヘッダ情報解析部１０２から入力された撮影情報データｄ３に基づいて、撮影条件に応じた鑑賞画像参照データｄ５を生成するための生成条件を決定し、鑑賞画像参照データ生成部１０８に出力する。また、撮影情報データ処理部１０７は、撮影情報データｄ３を一時記憶メモリ１０５に出力する。
【０１２０】
設定入力部１１０は、画像処理装置１２１にて生成したデジタル画像データを出力する記憶デバイス１１１、出力デバイス１１２、表示デバイス１１３の種類に関する操作情報が入力されると、この操作情報を鑑賞画像参照データ生成部１０８に出力する。
【０１２１】
鑑賞画像参照データ生成部１０８は、一時記憶メモリ１０５からシーン参照画像データｄ４を読み出し、撮影情報データ処理部１０７で決定された鑑賞画像参照データｄ５の生成条件及び設定入力部１１０から入力された記憶デバイス１１１、出力デバイス１１２、表示デバイス１１３の種類に関する操作情報に基づき、出力先において最適な画像を得るための最適化処理を施して鑑賞画像参照データｄ５を生成し、操作情報とともに一時記憶メモリ１０９へ出力する。最適化処理には、例えば、出力先の色域への圧縮、１６bitから８bitへの階調圧縮、出力画素数の低減、出力デバイスや表示デバイスの出力特性（ＬＵＴ）への対応処理等が含まれる。さらに、ノイズ抑制、鮮鋭化、カラーバランス調整、彩度調整、覆い焼き処理等の画像処理が含まれる。
【０１２２】
一時記憶メモリ１０９は、制御部からの制御により鑑賞画像参照データ生成部１０８から入力された鑑賞画像参照データｄ５を設定入力部１１０からの操作情報に従い、記憶デバイス１１１、出力デバイス１１２、表示デバイス１１３の何れかに出力する。
【０１２３】
なお、図７では、簡単のため、画像データファイル生成用のメモリである一時記憶メモリ１０５と、鑑賞画像形成用のメモリである一時記憶メモリ１０９と、を別々に図示したが、同一のメモリを用いることとしてもよい。
【０１２４】
＜画像処理装置１２１の動作＞
図１１は、画像処理装置１２１の各部が連携することにより実行される再現補助データ編集処理Ａを示すフロー図である。以下、図を参照して画像処理装置１２１の動作について説明する。
【０１２５】
図３又は図６に示したデータ構造の画像データファイルが記録された記録メディアが装着されると、入力部１０１により、記録メディアに記録されたデジタル画像データファイルが取得される（ステップ２１）。取得されたデジタル画像データは、ヘッダ情報解析部１０２によりその内容が解析され（ステップＳ２２）、シーン参照生データｄ２（ステップＳ２３）、撮像装置特性補正データｄ１（ステップＳ２４）、撮影情報データｄ３（ステップＳ２５）に分けられ、シーン参照生データｄ２及び撮像装置特性補正データｄ１は撮像装置特性補正処理部１１４へ、撮影情報データｄ３は最適化処理部１１５へ出力される。
【０１２６】
撮像装置特性補正データｄ１が撮像装置特性補正処理部１１４へ入力されると、装置特性補正処理部１０３ａにより処理条件テーブル１０３ｂが参照され、シーン参照画像データｄ４を生成するための処理条件が決定される。シーン参照画像データ生成部１０４により、シーン参照生データｄ２に対して、この処理条件に基づいて撮像装置特性補正処理が施され（ステップＳ２６）、シーン参照画像データｄ４が生成されて最適化処理部１１５に出力される（ステップＳ２７）。
【０１２７】
また、ヘッダ情報編集部１０６により、撮像装置特性補正データｄ１を構成する要素の一部又は全てに対して編集が行われ（ステップＳ２８）、編集済み再現補助データｄ６が生成される（ステップＳ２９）。そして、シーン参照画像データｄ４のファイルヘッダに編集済み再現補助データｄ６（及び撮影情報データｄ３）がタグ情報として添付され（ステップＳ３０）、添付済みのデータファイルが生成される（ステップＳ３１）。この添付済みのデータファイルは、記憶デバイス１１１の記録メディアに記録され、保存される（ステップＳ３２）。
【０１２８】
また、撮影情報データｄ３が最適化処理部１１５へ入力されると、撮影情報データ処理部１０７により、撮影情報データｄ３に基づいて撮影条件に応じた鑑賞画像参照データｄ５を生成するための処理条件が決定される。撮像装置特性補正処理部１１４から入力されたシーン参照画像データｄ４は、鑑賞画像参照データ生成部１０８により、撮影情報データ処理部１０７で決定された処理条件及び設定入力部１１０から入力された操作情報に基づいて出力先に応じた最適化処理が施され（ステップＳ３３）、鑑賞画像参照データｄ５が生成されて、設定入力部１１０により設定されたデバイスに出力される（ステップＳ３４）。
【０１２９】
図１２（ａ）〜（ｄ）は、シーン参照画像データｄ４を生成して記憶デバイス１１１に出力する際の出力データ構造を示す図である。図１２（ａ）に示す画像データファイルは、シーン参照画像データｄ４に編集済み再現補助データｄ６が添付されて記録されている。また、図１２（ｂ）に示すように、さらに撮影情報データｄ３が添付されていてもよい。また、図１２（ｃ）に示すように、後に生成する鑑賞画像の複数の用途に応じて、複数の編集済み再現補助データｄ６１〜ｄ６ｎがシーン参照画像データｄ４に添付されていてもよい。また、図１２（ｄ）に示すように、編集済み再現補助データｄ６の１つとして、編集前の再現補助データである撮像装置特性補正データｄ１が添付されていてもよい。これらの画像データファイルが記憶された記録メディアを表示デバイス、画像記録装置等の外部装置に装着することにより、シーン参照画像データｄ４、編集済み再現補助データｄ６（及び撮影情報データｄ３）を外部装置に出力することができ、外部装置にて、自己の装置に応じた最適化処理を行うことができる。
【０１３０】
以上説明したように、画像処理装置１２１によれば、出力媒体上に形成される鑑賞画像の用途に応じて、再現補助データ（撮像装置特性補正データｄ１）を構成する要素の一部又は全てを編集し、編集済み再現補助データｄ６（及び撮影情報データｄ３）を、シーン参照画像データｄ４に添付して記録するので、基本となる特性を持ったシーン参照画像データｄ４を保持しつつ、後に鑑賞画像を形成する際に用いる編集済み再現補助データｄ６及び（及び撮影情報データｄ３）を添付することができる。したがって、撮像画像情報の情報損失を伴うことなく、用途に応じて最適な画像を得るための情報を外部の装置に提供することができる。
【０１３１】
また、鑑賞画像の複数の用途に応じて、再現補助データを構成する要素の一部又は全てに対して複数の情報を生成するので、１つの画像を複数の用途に対応可能とすることができる。
【０１３２】
仮に、想定した用途の鑑賞画像参照データｄ５をシーン参照画像データｄ４に添付した場合には、記録容量が大きくなり負荷が高い。また、鑑賞画像参照データｄ５のみを記録する場合には、想定した用途と異なる用途に使用する際にシーン参照画像データｄ４からのデータ欠損が予想され画質劣化のおそれがあるため、シーン参照画像データｄ４は保持しておくことが好ましい。
【０１３３】
なお、再現補助データ（撮像装置特性補正データｄ１）は、シーン参照生データｄ２からシーン参照画像データｄ４を生成するうえで有用であるが、シーン参照画像データｄ４が生成され、記録メディアに記録されることで、その役割を果たしているといえる。そのため、編集前の再現補助データを記録メディアに記録する必要はないと考えられる。
【０１３４】
［第２の実施の形態］
＜画像処理装置１２２の構成＞
次に、本発明を適用した第２の実施の形態について説明する。
第２の実施の形態における画像処理装置１２２は、第１の実施の形態に示した画像処理装置１２１に、一時記憶メモリ１１６を追加した構成である。図１３は、画像処理装置１２２の機能的構成を示すブロック図である。画像処理装置１２２において、第１の実施の形態に示した画像処理装置１２１と同一の構成部分については同一の符号を付し、その構成については説明を省略する。以下、第２の実施の形態に特徴的な構成及び処理について説明する。
【０１３５】
ヘッダ情報解析部１０２は、入力部１０１から入力されたデータを解析し、シーン参照生データｄ２と、シーン参照生データｄ２に添付された撮像装置特性補正データｄ１と、撮影情報データｄ３とに分け、撮像装置特性補正データｄ１を装置特性補正処理部１０３ａへ、シーン参照生データｄ２をシーン参照画像データ生成部１０４と一時記憶メモリ１１６へ、撮影情報データｄ３を撮影情報データ処理部１０７へ出力する。
【０１３６】
ヘッダ情報編集部１０６は、ヘッダ情報解析部１０２から出力された撮像装置特性補正データｄ１を構成する要素の一部又は全てを編集し、編集済み再現補助データｄ６を生成する。そして、ヘッダ情報編集部１０６は、編集済み再現補助データｄ６を、一時記憶メモリ１１６に格納されたシーン参照生データｄ２のヘッダ情報として書き込み、記憶デバイス１１１の記録メディアに記録する。シーン参照生データｄ２に、編集済み再現補助データｄ６及び撮影情報データｄ３を添付して記録する場合には、編集済み再現補助データｄ６及び撮影情報データｄ３を、シーン参照生データｄ２のヘッダ情報として書き込み、記憶デバイス１１１の記録メディアに記録する。
【０１３７】
一時記憶メモリ１１６は、ヘッダ情報解析部１０２から入力されたシーン参照生データｄ２を一時的に記憶する。
【０１３８】
＜画像処理装置１２２の動作＞
図１４は、画像処理装置１２２の各部が連携することにより実行される再現補助データ編集処理Ｂを示すフロー図である。以下、図を参照して画像処理装置１２２の動作について説明する。
【０１３９】
図３又は図６に示したデータ構造の画像データファイルが記録された記録メディアが装着されると、入力部１０１により、記録メディアに記録されたデジタル画像データファイルが取得される（ステップ４１）。取得されたデジタル画像データは、ヘッダ情報解析部１０２によりその内容が解析され（ステップＳ４２）、シーン参照生データｄ２（ステップＳ４３）、撮像装置特性補正データｄ１（ステップＳ４４）、撮影情報データｄ３（ステップＳ４５）に分けられ、シーン参照生データｄ２及び撮像装置特性補正データｄ１は撮像装置特性補正処理部１１４へ、撮影情報データｄ３は最適化処理部１１５へ出力される。また、シーン参照生データｄ２は、一時記憶メモリ１１６に記憶される。
【０１４０】
撮像装置特性補正データｄ１が撮像装置特性補正処理部１１４へ入力されると、装置特性補正処理部１０３ａにより処理条件テーブル１０３ｂが参照され、シーン参照画像データｄ４を生成するための処理条件が決定される。シーン参照画像データ生成部１０４により、シーン参照生データｄ２に対して、この処理条件に基づいて撮像装置特性補正処理が施され（ステップＳ４６）、シーン参照画像データｄ４が生成されて最適化処理部１１５に出力される（ステップＳ４７）。
【０１４１】
また、ヘッダ情報編集部１０６により、撮像装置特性補正データｄ１を構成する要素の一部又は全てに対して編集が行われ（ステップＳ４８）、編集済み再現補助データｄ６が生成される（ステップＳ４９）。そして、シーン参照生データｄ２のファイルヘッダに編集済み再現補助データｄ６（及び撮影情報データｄ３）がタグ情報として添付され（ステップＳ５０）、添付済みのデータファイルが生成される（ステップＳ５１）。この添付済みのデータファイルは、記憶デバイス１１１の記録メディアに記録され、保存される（ステップＳ５２）。
【０１４２】
また、撮影情報データｄ３が最適化処理部１１５へ入力されると、撮影情報データ処理部１０７により、撮影情報データｄ３に基づいて撮影条件に応じた鑑賞画像参照データｄ５を生成するための処理条件が決定される。撮像装置特性補正処理部１１４から入力されたシーン参照画像データｄ４は、鑑賞画像参照データ生成部１０８により、撮影情報データ処理部１０７で決定された処理条件及び設定入力部１１０から入力された操作情報に基づいて出力先に応じた最適化処理が施され（ステップＳ５３）、鑑賞画像参照データｄ５が生成されて、設定入力部１１０により設定されたデバイスに出力される（ステップＳ５４）。
【０１４３】
図１５（ａ）〜（ｄ）は、シーン参照生データｄ２を記憶デバイス１１１に出力する際の出力データ構造を示す図である。図１５（ａ）に示す画像データファイルは、シーン参照生データｄ２に編集済み再現補助データｄ６が添付されて記録されている。また、図１５（ｂ）に示すように、さらに撮影情報データｄ３が添付されていてもよい。また、図１５（ｃ）に示すように、後に生成する鑑賞画像の複数の用途に応じて、複数の編集済み再現補助データｄ６１〜ｄ６ｎがシーン参照生データｄ２に添付されていてもよい。また、図１５（ｄ）に示すように、編集済み再現補助データｄ６の１つとして、編集前の再現補助データである撮像装置特性補正データｄ１が添付されていてもよい。これらの画像データファイルが記憶された記録メディアを表示デバイス、画像記録装置等の外部装置に装着することにより、シーン参照生データｄ２、編集済み再現補助データｄ６（及び撮影情報データｄ３）を外部装置に出力することができ、外部装置にて、自己の装置に応じた最適化処理を行うことができる。
【０１４４】
以上説明したように、画像処理装置１２２によれば、出力媒体上に形成される鑑賞画像の用途に応じて、再現補助データ（撮像装置特性補正データｄ１）を構成する要素の一部又は全てを編集し、編集済み再現補助データｄ６（及び撮影情報データｄ３）を、シーン参照生データｄ２に添付して記録するので、シーン参照生データｄ２を保持しつつ、後に鑑賞画像を形成する際に用いる編集済み再現補助データｄ６（及び撮影情報データｄ３）を添付することができる。したがって、撮像画像情報の情報損失を伴うことなく、用途に応じて最適な画像を得るための情報を外部の装置に提供することができる。
また、第１の実施の形態のように、編集済み再現補助データｄ６及び撮影情報データｄ３をシーン参照画像データｄ４に添付して記録する場合と比較して、サイズ容量が小さいという利点がある。
【０１４５】
［第３の実施の形態］
＜画像処理装置１５１の構成＞
次に、本発明の第３の実施の形態における画像処理装置１５１について説明する。
まず、画像処理装置１５１の構成を説明する。
図１６は、画像処理装置１５１の機能的構成を示すブロック図である。図１６に示すように、画像処理装置１５１は、入力部１３１、ヘッダ情報解析部１３２、ヘッダ情報選択部１４６、シーン参照画像データｄ４に最適化処理を施して鑑賞画像参照データｄ５を生成する最適化処理部１４５により構成されている。最適化処理部１４５には、記憶デバイス１４１、出力デバイス１４２、表示デバイス１４３がそれぞれ接続可能な状態となっている。以上の各構成要素はＣＰＵ等により構成される制御部（図示せず）の統括的な制御下において動作する。
【０１４６】
入力部１３１は、記録メディア装着部（図示せず）を備えている。この装着部に、第１の実施の形態に示した画像処理装置１２１により生成されたシーン参照画像データｄ４に編集済み再現補助データｄ６（及び撮影情報データｄ３）が添付されたファイル（図１２（ａ）〜（ｄ）参照）が記録された記録メディアが装着されると、入力部１３１は、記録されたデータファイルを読み出して、ヘッダ情報解析部１３２へ出力する。なお、本実施の形態においては、入力部１３１は、装着された記録メディアからデータを読み出すこととして説明するが、データ通信ケーブルや、無線又は有線の通信手段を備え、これらの通信手段を介してデータを入力するようにしてもよい。入力部１３１は、特許請求の範囲に記載の画像処理装置のデータ取得手段としての機能を有する。
【０１４７】
ヘッダ情報解析部１３２は、入力部１３１から入力されたデータを解析し、シーン参照画像データｄ４と、シーン参照画像データｄ４に添付された編集済み再現補助データｄ６と、撮影情報データｄ３とに分け、シーン参照画像データｄ４を一時記憶メモリ１４７へ、編集済み再現補助データｄ６をヘッダ情報選択部１４６へ、撮影情報データｄ３を撮影情報データ処理部１３７へ出力する。
【０１４８】
ヘッダ情報選択部１４６は、ヘッダ情報解析部１３２から入力された編集済み再現補助データｄ６から、後に形成される鑑賞画像の用途に応じて、使用する情報を選択し、処理条件取得部１４８ａへ出力する。例えば、図１０に示す編集済み再現補助データｄ６を取得した場合、要素１０に関しては、用途１ではｓＲＧＢ、用途２ではAdobe ＲＧＢが選択される。用途に応じて情報が変わらない場合であって、複数の用途のうち予め決められた所定の用途にのみ情報が記述されている場合には、その情報を取得すればよい（例えば、図１０の要素１，要素２等）。
【０１４９】
最適化処理部１４５は、一時記憶メモリ１４７、処理条件取得部１４８ａ、処理条件テーブル１４８ｂ、撮影情報データ処理部１３７、鑑賞画像参照データ生成部１３８、一時記憶メモリ１３９及び設定入力部１４０を有して構成されている。最適化処理部１４５は、特許請求の範囲に記載の画像処理装置の鑑賞画像参照データ生成手段としての機能を有する。
【０１５０】
一時記憶メモリ１４７は、ヘッダ情報解析部１３２により入力されたシーン参照画像データｄ４を一時的に記憶する。
【０１５１】
処理条件取得部１４８ａは、ヘッダ情報選択部１４６により鑑賞画像の用途に応じて選択された再現補助データが入力されると、処理条件テーブル１４８ｂの参照により、鑑賞画像参照データｄ５の生成条件を決定する。処理条件テーブル１４８ｂは、再現補助データ毎に、鑑賞画像参照データｄ５を生成するための処理条件を対応付けて記憶するテーブルである。ここでは、処理条件テーブル１４８ｂの参照により処理条件を決定したが、再現補助データに処理の強度を示す値等が含まれる場合には、これを処理の実質的な内容となる変換式等の１パラメータとして採用する等、テーブル参照以外の当業界で知られた種々の方法によって、処理条件を決定することとしてもよい。
【０１５２】
撮影情報データ処理部１３７は、ヘッダ情報解析部１３２から入力された撮影情報データｄ３に基づいて、撮影条件に応じた鑑賞画像参照データｄ５を生成するための生成条件を決定し、鑑賞画像参照データ生成部１３８に出力する。
【０１５３】
設定入力部１４０は、画像処理装置１５１にて生成したデジタル画像データを出力する記憶デバイス１４１、出力デバイス１４２、表示デバイス１４３の種類に関する操作情報が入力されると、この操作情報を鑑賞画像参照データ生成部１３８に出力する。
【０１５４】
鑑賞画像参照データ生成部１３８は、一時記憶メモリ１４７からシーン参照画像データｄ４を読み出し、処理条件取得部１４８ａで決定された鑑賞画像参照データｄ５の生成条件、撮影情報データ処理部１３７で決定された鑑賞画像参照データｄ５の生成条件、及び設定入力部１４０から入力された記憶デバイス１４１、出力デバイス１４２、表示デバイス１４３の種類に関する操作情報に基づき、出力先において最適な画像を得るための最適化処理を施して鑑賞画像参照データｄ５を生成し、操作情報とともに一時記憶メモリ１３９へ出力する。
【０１５５】
一時記憶メモリ１３９は、制御部からの制御により鑑賞画像参照データ生成部１３８から入力された鑑賞画像参照データｄ５を設定入力部１４０からの操作情報に従い、記憶デバイス１４１、出力デバイス１４２、表示デバイス１４３の何れかに出力する。
【０１５６】
＜画像処理装置１５１の動作＞
図１７は、画像処理装置１５１の各部が連携することにより実行される画像最適化処理Ａを示すフロー図である。以下、図を参照して画像処理装置１５１の動作について説明する。
【０１５７】
図１２（ａ）〜（ｄ）に示したデータ構造の画像データファイルが記録された記録メディアが装着されると、入力部１３１により、記録メディアに記録されたデジタル画像データファイルが取得される（ステップ６１）。取得されたデジタル画像データは、ヘッダ情報解析部１３２によりその内容が解析され（ステップＳ６２）、シーン参照画像データｄ４（ステップＳ６３）、撮影情報データｄ３（ステップＳ６４）、編集済み再現補助データｄ６（ステップＳ６５）に分けられ、シーン参照画像データｄ４は一時記憶メモリ１４７へ、撮影情報データｄ３は撮影情報データ処理部１３７へ、編集済み再現補助データｄ６はヘッダ情報選択部１４６へ出力される。そして、ヘッダ情報選択部１４６により、編集済み再現補助データｄ６から、後に形成される鑑賞画像の用途に応じて、使用する情報が選択される（ステップＳ６６）。
【０１５８】
選択された再現補助データが処理条件取得部１４８ａへ入力されると、処理条件取得部１４８ａにより処理条件テーブル１４８ｂが参照され、鑑賞画像参照データｄ５を生成するための処理条件が決定される。
【０１５９】
また、撮影情報データｄ３が撮影情報データ処理部１３７へ入力されると、撮影情報データｄ３に基づいて撮影条件に応じた鑑賞画像参照データｄ５を生成するための処理条件が決定される。
【０１６０】
一時記憶メモリ１４７に記憶されたシーン参照画像データｄ４は、鑑賞画像参照データ生成部１３８により、処理条件取得部１４８ａで決定された鑑賞画像参照データｄ５の生成条件、撮影情報データ処理部１３７で決定された処理条件、及び設定入力部１４０から入力された操作情報に基づいて出力先に応じた最適化処理が施され（ステップＳ６７）、鑑賞画像参照データｄ５が生成されて、設定入力部１４０により設定されたデバイスに出力される（ステップＳ６８）。
【０１６１】
次に、図１８を参照して、複数の用途に応じて最適化処理を行う画像最適化処理Ｂを説明する。
図１８は、画像処理装置１５１の各部が連携することにより実行される画像最適化処理Ｂを示すフロー図である。
【０１６２】
図１２（ａ）〜（ｄ）に示したデータ構造の画像データファイルが記録された記録メディアが装着されると、入力部１３１により、記録メディアに記録されたデジタル画像データファイルが取得される（ステップ７１）。取得されたデジタル画像データは、ヘッダ情報解析部１３２によりその内容が解析され（ステップＳ７２）、シーン参照画像データｄ４（ステップＳ７３）、撮影情報データｄ３（ステップＳ７４）、編集済み再現補助データｄ６（ステップＳ７５）に分けられ、シーン参照画像データｄ４は一時記憶メモリ１４７へ、撮影情報データｄ３は撮影情報データ処理部１３７へ、編集済み再現補助データｄ６はヘッダ情報選択部１４６へ出力される。そして、ヘッダ情報選択部１４６により、編集済み再現補助データｄ６から、後に形成される鑑賞画像の用途に応じて、使用する情報（再現補助データ１，再現補助データ２）が選択される（ステップＳ７６，Ｓ７７）。
【０１６３】
選択された再現補助データ１，再現補助データ２が処理条件取得部１４８ａへ入力されると、処理条件取得部１４８ａにより処理条件テーブル１４８ｂが参照され、鑑賞画像参照データｄ５（鑑賞画像参照データ１，鑑賞画像参照データ２）を生成するための処理条件が決定される。
【０１６４】
また、撮影情報データｄ３が撮影情報データ処理部１３７へ入力されると、撮影情報データｄ３に基づいて撮影条件に応じた鑑賞画像参照データｄ５を生成するための処理条件が決定される。
【０１６５】
一時記憶メモリ１４７に記憶されたシーン参照画像データｄ４は、鑑賞画像参照データ生成部１３８により、処理条件取得部１４８ａで決定された鑑賞画像参照データｄ５の生成条件、撮影情報データ処理部１３７で決定された処理条件、及び設定入力部１４０から入力された操作情報に基づいて出力先に応じた最適化処理（最適化処理１，最適化処理２）がそれぞれ施され（ステップＳ７８，Ｓ７９）、鑑賞画像参照データｄ５（鑑賞画像参照データ１，鑑賞画像参照データ２）が生成されて、設定入力部１４０により設定されたデバイスにそれぞれ出力される（ステップＳ８０，Ｓ８１）。
【０１６６】
以上説明したように、画像処理装置１５１によれば、シーン参照画像データｄ４、編集済み再現補助データｄ６及び撮影情報データｄ３を取得し、編集済み再現補助データｄ６に基づいて、シーン参照画像データｄ４に最適化処理を施して鑑賞画像参照データｄ５を生成し、鑑賞画像参照データｄ５を用いて出力媒体上に鑑賞画像を形成するので、用途に応じて最適な鑑賞画像を提供することができる。
【０１６７】
また、鑑賞画像の用途に応じて、編集済み再現補助データｄ６を構成する要素の一部又は全てについて、最適化処理を施す際に使用するデータを選択するので、用途に応じて最適な鑑賞画像を提供することができる。
【０１６８】
［第４の実施の形態］
＜画像処理装置１５２の構成＞
次に、本発明を適用した第４の実施の形態について説明する。
図１９は、第４の実施の形態における画像処理装置１５２の機能的構成を示すブロック図である。画像処理装置１５２は、第３の実施の形態に示した画像処理装置１５１に、撮像装置特性補正処理部１４４を追加した構成である。画像処理装置１５２において、第３の実施の形態に示した画像処理装置１５１と同一の構成部分については同一の符号を付し、その構成については説明を省略する。以下、第４の実施の形態に特徴的な構成及び処理について説明する。
【０１６９】
入力部１３１は、記録メディア装着部（図示せず）を備えている。この装着部に、第２の実施の形態に示した画像処理装置１２２により生成されたシーン参照生データｄ２に編集済み再現補助データｄ６（及び撮影情報データｄ３）が添付されたファイル（図１５（ａ）〜（ｄ）参照）が記録された記録メディアが装着されると、入力部１３１は、記録されたデータファイルを読み出して、ヘッダ情報解析部１３２へ出力する。
【０１７０】
ヘッダ情報解析部１３２は、入力部１３１から入力されたデータを解析し、シーン参照生データｄ２と、シーン参照生データｄ２に添付された編集済み再現補助データｄ６と、撮影情報データｄ３とに分け、シーン参照生データｄ２をシーン参照画像データ生成部１３４へ、編集済み再現補助データｄ６をヘッダ情報選択部１４６へ、撮影情報データｄ３を撮影情報データ処理部１３７へ出力する。
【０１７１】
ヘッダ情報選択部１４６は、ヘッダ情報解析部１３２から入力された編集済み再現補助データｄ６から、後に形成される鑑賞画像の用途に応じて、使用する情報を選択し、処理条件取得部１４８ａへ出力する。また、ヘッダ情報選択部１４６は、ヘッダ情報解析部１３２から入力された編集済み再現補助データｄ６から、シーン参照生データｄ２からシーン参照画像データｄ４を生成する用途に相当する再現補助データ、すなわち、撮像装置特性補正データｄ１を選択し、装置特性補正処理部１３３ａへ出力する。
【０１７２】
撮像装置特性補正処理部１４４は、装置特性補正処理部１３３ａ、処理条件テーブル１３３ｂ、シーン参照画像データ生成部１３４及び一時記憶メモリ１３５を有して構成されている。
【０１７３】
装置特性補正処理部１３３ａは、ヘッダ情報選択部１４６から撮像装置特性補正データｄ１が入力されると、処理条件テーブル１３３ｂの参照により、シーン参照画像データｄ４の生成条件を決定する。処理条件テーブル１３３ｂは、撮像装置の特性毎に、シーン参照画像データｄ４を生成するための処理条件を対応付けて記憶するテーブルである。
【０１７４】
シーン参照画像データ生成部１３４は、ヘッダ情報解析部１３２から入力されたシーン参照生データｄ２に対して、装置特性補正処理部１３３ａにより決定された生成条件により撮像装置特性補正処理を施して撮像装置特性に依存しないシーン参照画像データｄ４を生成し、一時記憶メモリ１３５に出力する。
【０１７５】
一時記憶メモリ１３５は、シーン参照画像データ生成部１３４により生成されたシーン参照画像データｄ４を一時的に記憶する。
【０１７６】
＜画像処理装置１５２の動作＞
図２０は、画像処理装置１５２の各部が連携することにより実行される画像最適化処理Ｃを示すフロー図である。以下、図を参照して画像処理装置１５２の動作について説明する。
【０１７７】
図１５（ａ）〜（ｄ）に示したデータ構造の画像データファイルが記録された記録メディアが装着されると、入力部１３１により、記録メディアに記録されたデジタル画像データファイルが取得される（ステップ９１）。取得されたデジタル画像データは、ヘッダ情報解析部１３２によりその内容が解析され（ステップＳ９２）、シーン参照生データｄ２（ステップＳ９３）、撮影情報データｄ３（ステップＳ９４）、編集済み再現補助データｄ６（ステップＳ９５）に分けられ、シーン参照生データｄ２はシーン参照画像データ生成部１３４へ、撮影情報データｄ３は撮影情報データ処理部１３７へ、編集済み再現補助データｄ６はヘッダ情報選択部１４６へ出力される。そして、ヘッダ情報選択部１４６により、編集済み再現補助データｄ６のうち撮像装置特性補正データｄ１が装置特性補正処理部１３３ａへ出力される（ステップＳ９６）。また、編集済み再現補助データｄ６から、後に形成される鑑賞画像の用途に応じて、使用する情報が選択され、選択された再現補助データが処理条件取得部１４８ａへ出力される（ステップＳ９７）。
【０１７８】
撮像装置特性補正データｄ１が装置特性補正処理部１３３ａへ入力されると、装置特性補正処理部１３３ａにより処理条件テーブル１３３ｂが参照され、シーン参照画像データｄ４を生成するための処理条件が決定される。シーン参照画像データ生成部１３４により、シーン参照生データｄ２に対して、この処理条件に基づいて撮像装置特性補正処理が施され（ステップＳ９８）、シーン参照画像データｄ４が生成されて最適化処理部１４５に出力される（ステップＳ９９）。
【０１７９】
選択された再現補助データが処理条件取得部１４８ａへ入力されると、処理条件取得部１４８ａにより処理条件テーブル１４８ｂが参照され、鑑賞画像参照データｄ５を生成するための処理条件が決定される。
【０１８０】
また、撮影情報データｄ３が撮影情報データ処理部１３７へ入力されると、撮影情報データｄ３に基づいて撮影条件に応じた鑑賞画像参照データｄ５を生成するための処理条件が決定される。
【０１８１】
撮像装置特性補正処理部１４４から入力されたシーン参照画像データｄ４は、鑑賞画像参照データ生成部１３８により、処理条件取得部１４８ａで決定された鑑賞画像参照データｄ５の生成条件、撮影情報データ処理部１３７で決定された処理条件、及び設定入力部１４０から入力された操作情報に基づいて出力先に応じた最適化処理が施され（ステップＳ１００）、鑑賞画像参照データｄ５が生成されて、設定入力部１４０により設定されたデバイスに出力される（ステップＳ１０１）。
【０１８２】
以上説明したように、画像処理装置１５２によれば、シーン参照生データｄ２、編集済み再現補助データｄ６及び撮影情報データｄ３を取得し、編集済み再現補助データｄ６に基づいて、シーン参照生データｄ２に撮像装置特性補正処理を施してシーン参照画像データｄ４を生成し、編集済み再現補助データｄ６及び撮影情報データｄ３に基づいて、生成されたシーン参照画像データｄ４に最適化処理を施して鑑賞画像参照データｄ５を生成し、鑑賞画像参照データｄ５を用いて出力媒体上に鑑賞画像を形成するので、用途に応じて最適な鑑賞画像を提供することができる。画像情報がシーン参照生データｄ２として記録されているため、ファイル容量が抑えられているにもかかわらず、第３の実施の形態と同様の効果を得ることができる。
【０１８３】
なお、第４の実施の形態では、シーン参照生データｄ２からシーン参照画像データｄ４を生成した後に、シーン参照画像データｄ４から鑑賞画像参照データｄ５を生成することとしたが、シーン参照画像データｄ４を一旦生成することなく、再現補助データに基づいて、シーン参照生データｄ２から直接鑑賞画像参照データｄ５を生成することとしてもよい。シーン参照生データｄ２から鑑賞画像参照データｄ５を生成する際には、処理負荷軽減のために、種々の処理内容を統合して行えばよい。
【０１８４】
［第５の実施の形態］
＜画像記録装置２０１の構成＞
次に、図２１〜図２５を参照して、本発明の第５の実施の形態の画像記録装置２０１について説明する。
図２１は、画像記録装置２０１の概観構成を示す斜視図である。画像記録装置２０１は、出力デバイスとして画像を形成する画像記録手段と、表示デバイスとしてＣＲＴディスプレイモニタと、を備える。
【０１８５】
図２１に示すように、画像記録装置２０１には、本体２０２の一側面にマガジン装填部２０３が備えられている。本体２０２の内側には、出力メディアである銀塩印画紙に露光する露光処理部２０４と、露光された銀塩印画紙を現像処理して乾燥し、プリントを作成するプリント作成部２０５が備えられ、作成されたプリントは、本体２０２の他側面に設けられたトレー２０６に排出される。
【０１８６】
また、本体２０２の上部には、表示装置としてのＣＲＴ（Cathode Ray Tube）２０８、透過原稿を読み込む装置であるフィルムスキャナ部２０９、反射原稿入力装置２１０、操作部２１１が備えられている。このＣＲＴ２０８が、プリントを作成しようとする画像データの画像を画面に表示する表示手段を構成している。さらに、本体２０２には、各種デジタル記録媒体に記録された画像データを読み取り可能な画像読込部２１４、各種デジタル記録媒体に画像信号を書き込み（出力）可能な画像書込部２１５が備えられている。また、本体２０２の内部には、これらの各部を集中制御する制御部２０７が備えられている。
【０１８７】
画像読込部２１４には、ＰＣカード用アダプタ２１４ａ、フロッピー（登録商標）ディスク用アダプタ２１４ｂが備えられ、ＰＣカード２１３ａやフロッピーディスク２１３ｂが差し込み可能になっている。ＰＣカード２１３ａは、デジタルカメラで撮像された複数の駒画像データが記録されたメモリを有する。フロッピーディスク２１３ｂには、例えば、デジタルカメラで撮像された複数の駒画像データが記録されている。その他、駒画像データを有する記録媒体としては、マルチメディアカード、メモリースティック、ＣＤ−ＲＯＭ等が挙げられる。
【０１８８】
画像書込部２１５には、フロッピーディスク用アダプタ２１５ａ、ＭＯ用アダプタ２１５ｂ、光ディスク用アダプタ２１５ｃが備えられ、各々、ＦＤ２１６ａ、ＭＯ２１６ｂ、光ディスク２１６ｃが差し込み可能になっており、画像データを画像記録メディアに書き込むことができるようになっている。光ディスク２１６ｃとしては、ＣＤ−Ｒ、ＤＶＤ−Ｒ等がある。
【０１８９】
なお、図２１では、操作部２１１、ＣＲＴ２０８、フィルムスキャナ部２０９、反射原稿入力装置２１０、画像読込部２１４が、本体２０２に一体的に備えられた構造となっているが、これらのいずれか１つ以上を別体として設けるようにしてもよい。
【０１９０】
なお、図２１に示した画像記録装置２０１では、感光材料に露光して現像してプリントを作成するものが例示されているが、プリント作成方式はこれに限定されず、例えば、インクジェット方式、電子写真方式、感熱方式、昇華方式等の方式を用いてもよい。
【０１９１】
＜画像記録装置２０１の内部構成＞
図２２は、画像記録装置２０１の内部構成を示すブロック図である。画像記録装置２０１は、図２２に示すように、制御部２０７、露光処理部２０４、プリント作成部２０５、フィルムスキャナ部２０９、反射原稿入力装置２１０、画像読込部２１４、通信手段（入力）２４０、画像書込部２１５、データ蓄積手段２７１、操作部２１１、ＣＲＴ２０８、通信手段（出力）２４１から構成される。
【０１９２】
制御部２０７は、マイクロコンピュータにより構成され、ＲＯＭ等の記憶部（図示略）に記憶されている画像処理プログラム等の各種制御プログラムと、ＣＰＵ（図示略）との協働により、画像記録装置２０１を構成する各部の動作を制御する。
【０１９３】
制御部２０７は、画像処理部２７０を有し、操作部２１１からの入力信号（指令情報）に基づいて、フィルムスキャナ部２０９や反射原稿入力装置２１０により取得した画像データ、画像読込部２１４から読み込まれた画像データ、外部機器から通信手段（入力）２４０を介して入力された画像データに対して、画像処理を施して出力用画像データ生成し、露光処理部２０４に出力する。また、画像処理部２７０は、画像処理された画像データに対して出力形態に応じた変換処理を施して出力する。画像処理部２７０の出力先としては、ＣＲＴ２０８、画像書込部２１５、通信手段（出力）２４１等がある。
【０１９４】
露光処理部２０４は、感光材料に画像の露光を行い、この感光材料をプリント作成部２０５に出力する。プリント作成部２０５は、露光された感光材料を現像処理して乾燥し、プリントＰ１、Ｐ２、Ｐ３を作成する。プリントＰ１は、サービスサイズ、ハイビジョンサイズ、パノラマサイズ等のプリントであり、プリントＰ２は、Ａ４サイズのプリントであり、プリントＰ３は、名刺サイズのプリントである。
【０１９５】
フィルムスキャナ部２０９は、アナログカメラにより撮像されてネガフィルムを現像して得られる現像済みのネガフィルムＮからの駒画像データを読み込む。反射原稿入力装置２１０は、駒画像を印画紙に焼き付けて現像処理したプリントＰからの駒画像データを読み込む。
【０１９６】
フィルムスキャナ部２０９や反射原稿入力装置２１０から読み込まれる原稿としては、写真感光材料があり、この写真感光材料としては、カラーネガフィルム、カラーリバーサルフィルム、白黒ネガフィルム、白黒リバーサルフィルム等がある。この写真感光材料には、アナログカメラにより撮像した駒画像データが記録される。フィルムスキャナ部２０９のフィルムスキャナにより、デジタル画像データに変換し、駒画像データとすることができる。また、写真感光材料が銀塩印画紙であるカラーペーパーの場合、反射原稿入力装置２１０のフラットベッドスキャナにより、駒画像データに変換することができる。
【０１９７】
画像読込部２１４は、ＰＣカード２１３ａやフロッピーディスク２１３ｂに記録された駒画像データを読み出して制御部２０７に転送する。この画像読込部２１４は、画像転送手段２３０として、ＰＣカード用アダプタ２１４ａ、フロッピーディスク用アダプタ２１４ｂ等を有する。画像読込部２１４は、ＰＣカード用アダプタ２１４ａに差し込まれたＰＣカード２１３ａや、フロッピーディスク用アダプタ２１４ｂに差し込まれたフロッピーディスク２１３ｂに記録された駒画像データを読み取り、制御部２０７に転送する。ＰＣカード用アダプタ２１４ａとしては、例えばＰＣカードリーダやＰＣカードスロット等が用いられる。
【０１９８】
通信手段（入力）２４０は、画像記録装置２０１が設置された施設内の別のコンピュータや、インターネット等を介した遠方のコンピュータから、撮像画像を表す画像データやプリント命令信号を受信する。
【０１９９】
画像書込部２１５は、画像搬送部２３１として、フロッピーディスク用アダプタ２１５ａ、ＭＯ用アダプタ２１５ｂ、光ディスク用アダプタ２１５ｃを備えている。画像書込部２１５は、制御部２０７から入力される書込信号に従って、フロッピーディスク用アダプタ２１５ａに差し込まれたフロッピーディスク２１６ａ、ＭＯ用アダプタ２１５ｂに差し込まれたＭＯ２１６ｂ、光ディスク用アダプタ２１５ｃに差し込まれた光ディスク２１６ｃに、生成された画像データを書き込む。
【０２００】
データ蓄積手段２７１は、画像データとそれに対応するオーダー情報（どの駒の画像から何枚プリントを作成するかの情報、プリントサイズの情報等）等の情報を記憶し、順次蓄積する。
【０２０１】
操作部２１１は、情報入力手段２１２を有する。情報入力手段２１２は、例えば、タッチパネル等により構成されており、情報入力手段２１２の押下信号を入力信号として制御部２０７に出力する。なお、操作部２１１は、キーボードやマウス等を備えて構成するようにしてもよい。ＣＲＴ２０８は、制御部２０７から入力された表示制御信号に従って、画像データ等を表示する。
【０２０２】
通信手段（出力）２４１は、画像処理を施した後の画像データと付帯するオーダー情報とを、画像記録装置２０１が設置された施設内の他のコンピュータや、インターネット等を介した遠方のコンピュータに対して送信する。
【０２０３】
＜画像処理部２７０の構成＞
図２３は、画像記録装置２０１の画像処理部２７０の機能的構成を示すブロック図である。画像処理部２７０は、図２３に示すように、フィルムスキャンデータ処理部７０１、反射原稿スキャンデータ処理部７０２、画像データ書式解読処理部７０３、画像調整処理部７０４、ＣＲＴ固有処理部７０５、プリンタ固有処理部（１）７０６、プリンタ固有処理部（２）７０７、画像データ書式作成処理部７０８、ヘッダ情報解析部３０２、装置特性補正処理部３０３ａ、処理条件テーブル３０３ｂ、シーン参照画像データ生成部３０４、撮影情報データ処理部３０７、鑑賞画像参照データ生成部３０８から構成される。
【０２０４】
フィルムスキャンデータ処理部７０１は、フィルムスキャナ部２０９から入力された画像データに対し、フィルムスキャナ部２０９固有の校正操作・ネガ原稿の場合のネガポジ反転、ゴミキズ除去、グレーバランス調整、コントラスト調整、粒状ノイズ除去、鮮鋭化強調等を施し、画像調整処理部７０４に出力する。また、フィルムスキャンデータ処理部７０１は、フィルムサイズ、ネガポジ種別、フィルムに光学的あるいは磁気的に記録されたＩＳＯ感度、メーカー名、主要被写体に関わる情報・撮影条件に関する情報（例えばＡＰＳの記載情報内容）等も併せて画像調整処理部７０４に出力する。
【０２０５】
反射原稿スキャンデータ処理部７０２は、反射原稿入力装置２１０から入力された画像データに対し、反射原稿入力装置２１０固有の校正操作、ネガ原稿の場合のネガポジ反転、ゴミキズ除去、グレーバランス調整、コントラスト調整、ノイズ除去、鮮鋭化強調等を施し、画像調整処理部７０４に出力する。
【０２０６】
画像データ書式解読処理部７０３は、画像転送手段２３０や通信手段（入力）２４０から入力された画像データのデータ書式に従って、必要に応じて圧縮符号の復元、色データの表現方法の変換等を行い、画像処理部２７０内の演算に適したデータ形式に変換し、画像調整処理部７０４に出力する。また、画像データ書式解読処理部７０３は、第２の実施の形態に示した画像処理装置１２２による形式の画像データファイル（図１５（ａ）〜（ｄ）参照）が画像転送手段２３０又は通信手段（入力）２４０から入力されたか否かを判別し、入力された画像データをヘッダ情報解析部３０２に出力する。
【０２０７】
また、フィルムスキャナ部２０９、反射原稿入力装置２１０、画像転送手段２３０、通信手段（入力）２４０からの主要被写体に関わる情報及び撮影条件に関する情報を補足・補充する形で、操作部２１１から該情報を画像調整処理部７０４に送ることもできる。
【０２０８】
出力画像の大きさについての指定は操作部２１１から入力される。この他に、通信手段（入力）２４０から取得した出力画像の大きさについて指定があった場合や、画像転送手段２３０が取得した画像データのヘッダ情報やタグ情報に埋め込まれた出力画像の大きさについての指定があった場合には、画像データ書式解読処理部７０３が該情報を検出し、画像調整処理部７０４へ出力する。
【０２０９】
ヘッダ情報解析部３０２は、入力された画像データを解析し、シーン参照生データｄ２と、編集済み再現補助データｄ６と、撮影情報データｄ３とに分ける。そして、シーン参照生データｄ２をシーン参照画像データ生成部３０４へ、編集済み再現補助データｄ６のうち撮像装置特性補正データｄ１を装置特性補正処理部３０３ａへ、その他の編集済み再現補助データｄ６を鑑賞画像参照データ生成部３０８へ、撮影情報データｄ３を撮影情報データ処理部３０７へ出力する。
【０２１０】
装置特性補正処理部３０３ａは、ヘッダ情報解析部３０２から撮像装置特性補正データｄ１が入力されると、処理条件テーブル３０３ｂの参照により、シーン参照画像データｄ４の生成条件を決定する。処理条件テーブル３０３ｂは、撮像装置の特性毎に、シーン参照画像データｄ４を生成するための処理条件を対応付けて記憶するテーブルである。
【０２１１】
シーン参照画像データ生成部３０４は、ヘッダ情報解析部３０２から入力されたシーン参照生データｄ２に対して、装置特性補正処理部３０３ａにより決定された生成条件により撮像装置特性補正処理を施して撮像装置特性に依存しないシーン参照画像データｄ４を生成し、鑑賞画像参照データ生成部３０８とデータ蓄積手段２７１に出力する。
【０２１２】
撮影情報データ処理部３０７は、ヘッダ情報解析部３０２から入力された撮影情報データｄ３に基づいて、撮影条件に応じた鑑賞画像参照データｄ５を生成するための生成条件を決定し、鑑賞画像参照データ生成部３０８に出力する。
【０２１３】
画像調整処理部７０４は、操作部２１１及び制御部２０７からの指令に基づき、出力先のデバイス及び出力メディアに適合された鑑賞画像参照データｄ５を生成するための画像処理条件を、鑑賞画像参照データ生成部３０８へと転送する。
【０２１４】
鑑賞画像参照データ生成部３０８は、撮影情報データ処理部３０７で決定された画像処理条件、編集済み再現補助データｄ６に基づく画像処理条件、及び画像調整処理部７０４から送信された画像処理条件に基づき、シーン参照画像データｄ４から鑑賞画像参照データｄ５を生成する。
【０２１５】
画像調整処理部７０４は、操作部２１１又は制御部２０７の指令に基づいて、フィルムスキャナ部２０９、反射原稿入力装置２１０、画像転送手段２３０、通信手段（入力）２４０から受け取った画像データに対して、出力メディア上で画像を観察する際に好ましい印象を与える画像となるように画像処理を行い出力用のデジタル画像データを生成し、ＣＲＴ固有処理部７０５、プリンタ固有処理部（１）７０６、プリンタ固有処理部（２）７０７、画像データ書式作成処理部７０８、データ蓄積手段２７１へ処理済みの画像信号を送出する。
【０２１６】
ＣＲＴ固有処理部７０５は、画像調整処理部７０４から入力された画像データに対して、必要に応じて画素数変更やカラーマッチング等の処理を施し、制御情報等表示が必要な情報と合成した表示用の画像データをＣＲＴ２０８に出力する。
【０２１７】
プリンタ固有処理部（１）７０６は、画像調整処理部７０４から入力された画像データに対して、必要に応じてプリンタ固有の校正処理、カラーマッチング、画素数変更等を行い、露光処理部２０４に出力する。
【０２１８】
画像記録装置２０１に、大判インクジェットプリンタ等の外部プリンタ２５１が接続されている場合には、接続されたプリンタ毎にプリンタ固有処理部（２）７０７が設けられている。このプリンタ固有処理部（２）７０７は、画像調整処理部７０４から入力された画像データに対して、適正なプリンタ固有の校正処理、カラーマッチング、画素数変更等を行う。
【０２１９】
画像データ書式作成処理部７０８は、画像調整処理部７０４から入力された画像データに対して、必要に応じてＪＰＥＧ、ＴＩＦＦ、Ｅｘｉｆ等に代表される各種の汎用画像フォーマットへの変換を行い、画像搬送部２３１や通信手段（出力）２４１に出力する。
【０２２０】
なお、鑑賞画像参照データ生成部３０８において生成される画像データは、上記ＣＲＴ固有処理部７０５、プリンタ固有処理部（１）７０６、プリンタ固有処理部（２）７０７、画像データ書式作成処理部７０８における処理を前提としたものであり、画像データ書式作成処理部７０８においては、鑑賞画像参照データｄ５の書式に基づき、ＣＲＴ用、露光処理部用、外部プリンタ用、通信手段（出力）用等、最適化した画像データであることを示すステータスファイルを添付した上で、個々に画像搬送部２３１に送信され、保存することが可能である。
【０２２１】
以上の、フィルムスキャンデータ処理部７０１、反射原稿スキャンデータ処理部７０２、画像データ書式解読処理部７０３、画像調整処理部７０４、ＣＲＴ固有処理部７０５、プリンタ固有処理部（１）７０６、プリンタ固有処理部（２）７０７、画像データ書式作成処理部７０８という区分は、画像処理部２７０の機能の理解を助けるために設けた区分であり、必ずしも物理的に独立したデバイスとして実現される必要はなく、例えば、単一のＣＰＵにおけるソフトウエア処理の種類の区分として実現されてもよい。
【０２２２】
また、ヘッダ情報解析部３０２、装置特性補正処理部３０３a、撮影情報データ処理部３０７、シーン参照画像データ生成部３０４、鑑賞画像参照データ生成部３０８という区分は、画像処理部２７０における本発明の機能の理解を助けるために設けた区分であり、必ずしも物理的に独立したデバイスとして実現される必要はなく、例えば単一のＣＰＵにおけるソフトウエア処理の種類の区分として実現されてもよい。
【０２２３】
＜画像処理部２７０の動作＞
図２４は、画像処理部２７０の各部が連携することにより実行される画像形成処理を示すフロー図である。以下、図を参照して画像処理部２７０各部の動作について説明する。
【０２２４】
画像転送手段２３０又は通信手段（入力）２４０から画像処理部２７０にデータが入力され（ステップＳ１１１）、画像データ書式解読処理部７０３により当該入力データが図１５（ａ）〜（ｄ）に示した形式の画像データファイルであると判別されると（ステップＳ１１２）、入力されたデジタル画像データファイルはヘッダ情報解析部３０２によりその内容が解析され（ステップＳ１１３）、シーン参照生データｄ２（ステップＳ１１４）、撮像装置特性補正データｄ１（ステップＳ１１５）、撮像装置特性補正データｄ１を除く再現補助データ（ステップＳ１１６）、撮影情報データｄ３（ステップＳ１１７）に分けられる。
【０２２５】
撮像装置特性補正データｄ１は、装置特性補正処理部３０３ａに出力され、装置特性補正処理部３０３ａによる処理条件テーブル３０３ｂの参照によりシーン参照画像データｄ４を生成するための処理条件が決定される。シーン参照生データｄ２は、シーン参照画像データ生成部３０４に出力され、装置特性補正処理部３０３ａで決定された処理条件に基づいて撮像装置特性補正処理が施され（ステップＳ１１８）、シーン参照画像データｄ４が生成されて鑑賞画像データ生成部３０８に出力される（ステップＳ１１９）。
【０２２６】
撮像装置特性補正処理には、図２５に示すように、シーン参照生データｄ２に対するフィルタ補間演算（ａ）と、マトリックス演算（ｂ）と、光電変換特性及びゲイン補正（ｃ）がある。
【０２２７】
図２５（ａ）に示すフィルタ補間演算は、１画素１色のフィルタ配列を有する画像データから１画素３色（ＲＧＢ）のリニア画像データに補間する処理である。ここで、フィルタ配列とは、ＣＣＤの色弁別用カラーフィルタの配列パターンであり、ＲＧＢ原色のベイヤー配列が一般的に用いられる。フィルタ補間方法としては、ニアレストネイバー（nearest neighbor）法、バイリニア（bi-linear interpolation）法、バイキュービック（bi-cubic convolution）法等を適用することが可能である。
【０２２８】
ニアレストネイバー法では、着目画素の最近傍の画素を選択し、拡大・縮小のサイズに合わせてピクセルをそのまま拡大・縮小し、必要な箇所のみピクセルを補間する。バイリニア法では、着目画素の周囲の４つの画素の濃度値から、その座標（実数値）に応じて線形の濃度補間を行う。バイキュービック法では、バイリニア法よりも高精度で補間を行うために、着目画素の周囲の１６個の画素の濃度値から、３次関数を用いて補間する。補間に用いる式はsin(πｘ）/πｘで、理論（サンプリング定理）的には最も完全な濃度補間式である。これをテイラー展開でｘの３次の項で近似し、補間式として用いる。
【０２２９】
図２５（ｂ）に示すマトリックス演算は、カラーフィルタの分光特性や撮像素子の分光感度特性の違いから、同一の被写体色が異なる信号として記録される差異を補正するための演算処理であり、このマトリックス演算によりＲＧＢからＸＹＺ表色系の三刺激値に変換される。
【０２３０】
図２５（ｃ）は、撮像素子の光電変換特性（リニア変換特性）やゲイン補正（平行移動）に伴う差異を補正するための処理を表している。この処理は、図２５（ｃ）に示すように、logＥ（Ｅ：露光量）に対しlogＹ（Ｙ：ＸＹＺ表色系の刺激値）がリニアに変換する特性となっている。
【０２３１】
図２５（ａ）〜（ｃ）に示すような撮像装置特性補正処理により、撮像装置の特性に依存したシーン参照生データｄ２からシーン参照画像データｄ４等の標準化された色空間におけるＸＹＺ値へと変換される。なお、撮像装置特性補正処理で適用されるカラーフィルタの配列パターン、マトリクス演算の行列係数ａ〜ｉ、光電変換特性やゲイン補正に伴う差異を補正する係数値は、全て撮像装置毎に異なるものである。
【０２３２】
撮影情報データｄ３は、撮影情報データ処理部３０７に出力され、撮影情報データ処理部３０７により撮影情報データｄ３に基づいて撮影条件に応じた鑑賞画像参照データｄ５を生成するための処理条件が決定される。また、操作部２１１及び制御部２０７からの指令に基づき、画像調整処理部７０４において、出力デバイス及び出力メディアに適合された鑑賞画像参照データｄ５を生成するための画像処理条件が決定される。シーン参照画像データ生成部３０４から入力されたシーン参照画像データｄ４は、鑑賞画像参照データ生成部３０８により、撮影情報データ処理部３０７により決定された画像処理条件、編集済み再現補助データｄ６に基づく画像処理条件、及び画像調整処理部７０４により決定された画像処理条件に基づいて最適化処理が施され（ステップＳ１２０）、鑑賞画像参照データｄ５が生成される（ステップＳ１２１）。鑑賞画像参照データｄ５は、出力先に応じてＣＲＴ固有処理部７０５、プリンタ固有処理部（１）７０６、プリンタ固有処理部（２）７０７、画像データ書式作成処理部７０８の何れかの処理部に出力される。鑑賞画像参照データｄ５は、出力された処理部において、出力先に応じた固有の処理が施され（ステップＳ１２２）、操作部２１１により指定された出力先から出力される（ステップＳ１２３）。
以上で、画像形成処理が終了する。
【０２３３】
以上説明したように、画像記録装置２０１によれば、編集済み再現補助データｄ６及び撮影情報データｄ３が添付されたシーン参照生データｄ２を取得して、撮像画像情報の情報損失を伴うことなく鑑賞画像参照データｄ５を生成し、ＣＲＴ、液晶ディスプレイ、プラズマディスプレイ等の表示デバイス、及び銀塩印画紙、インクジェットペーパー、サーマルプリンタ用紙等のハードコピー画像生成用の用紙等の出力媒体上に、用途に応じて最適な鑑賞画像を形成することができる。
【０２３４】
なお、第５の実施の形態では、第４の実施の形態に示した画像最適化処理Ｃと同様の処理を行う場合を例にして説明したが、第１の実施の形態に示した再現補助データ編集処理Ａ、第２の実施の形態に示した再現補助データ編集処理Ｂ、第３の実施の形態に示した画像最適化処理Ａ又は画像最適化処理Ｂをそれぞれ実行することとしてもよい。
【図面の簡単な説明】
【０２３５】
【図１】撮像装置２１の機能的構成を示すブロック図である。
【図２】撮像装置２１の制御部１１により実行されるシーン参照生データ保存処理Ａを示すフローチャートである。
【図３】ステップＳ６で記憶デバイス９の記録メディアに記録されるデジタル画像データのデータ構造を示す図である。
【図４】撮像装置２２の機能的構成を示すブロック図を示す。
【図５】撮像装置２２の制御部１１により実行されるシーン参照生データ保存処理Ｂを示すフローチャートである。
【図６】ステップＳ１７で記憶デバイス９の記録メディアに記録されるデジタル画像データのデータ構造を示す図である。
【図７】本発明の第１の実施の形態における画像処理装置１２１の機能的構成を示すブロック図である。
【図８】再現補助データの構成を説明するための図である。
【図９】再現補助データの構成を説明するための図である。
【図１０】再現補助データの構成を説明するための図である。
【図１１】画像処理装置１２１により実行される再現補助データ編集処理Ａを示すフロー図である。
【図１２】ステップＳ３１で生成される画像データファイルのデータ構造を示す図である。
【図１３】第２の実施の形態における画像処理装置１２２の機能的構成を示すブロック図である。
【図１４】画像処理装置１２２により実行される再現補助データ編集処理Ｂを示すフロー図である。
【図１５】ステップＳ５１で生成される画像データファイルのデータ構造を示す図である。
【図１６】第３の実施の形態における画像処理装置１５１の機能的構成を示すブロック図である。
【図１７】画像処理装置１５１により実行される画像最適化処理Ａを示すフロー図である。
【図１８】画像処理装置１５１により実行される画像最適化処理Ｂを示すフロー図である。
【図１９】第４の実施の形態における画像処理装置１５２の機能的構成を示すブロック図である。
【図２０】画像処理装置１５２により実行される画像最適化処理Ｃを示すフロー図である。
【図２１】第５の実施の形態における画像記録装置２０１の概観構成を示す斜視図である。
【図２２】画像記録装置２０１の内部構成を示すブロック図である。
【図２３】画像記録装置２０１の画像処理部２７０の機能的構成を示すブロック図である。
【図２４】画像処理部２７０により実行される画像形成処理を示すフロー図である。
【図２５】撮像装置特性補正処理の内容を説明するための図である。
【符号の説明】
【０２３６】
１    レンズ
２    絞り
３    ＣＣＤ
４    アナログ処理回路
５    Ａ／Ｄ変換器
６    一時記憶メモリ
７    画像処理部
８    ヘッダ情報処理部
９    記憶デバイス
１０    ＣＣＤ駆動回路
１１    制御部
１２    撮影情報データ処理部
１３    装置特性補正情報処理部
１４    操作部
１５    表示部
１６    ストロボ駆動回路
１７    ストロボ
１８    焦点距離調整回路
１９    自動焦点駆動回路
２０    モータ
２１    撮像装置
２２    撮像装置
１０１    入力部
１０２    ヘッダ情報解析部
１０３ａ  装置特性補正処理部
１０３ｂ  処理条件テーブル
１０４    シーン参照画像データ生成部
１０５    一時記憶メモリ
１０６    ヘッダ情報編集部
１０７    撮影情報データ処理部
１０８    鑑賞画像参照データ生成部
１０９    一時記憶メモリ
１１０    設定入力部
１１１    記憶デバイス
１１２    出力デバイス
１１３    表示デバイス
１１４    撮像装置特性補正処理部
１１５    最適化処理部
１１６    一時記憶メモリ
１２１    画像処理装置
１２２    画像処理装置
１３１    入力部
１３２    ヘッダ情報解析部
１３３ａ  装置特性補正処理部
１３３ｂ  処理条件テーブル
１３４    シーン参照画像データ生成部
１３５    一時記憶メモリ
１３７    撮影情報データ処理部
１３８    鑑賞画像参照データ生成部
１３９    一時記憶メモリ
１４０    設定入力部
１４１    記憶デバイス
１４２    出力デバイス
１４３    表示デバイス
１４４    撮像装置特性補正処理部
１４５    最適化処理部
１４６    ヘッダ情報選択部
１４７    一時記憶メモリ
１４８ａ  処理条件取得部
１４８ｂ  処理条件テーブル
１５１    画像処理装置
１５２    画像処理装置
２０１    画像記録装置
２０２    本体
２０３    マガジン装填部
２０４    露光処理部
２０５    プリント作成部
２０６    トレー
２０７    制御部
２０８    ＣＲＴ
２０９    フィルムスキャナ部
２１０    反射原稿入力装置
２１１    操作部
２１２    情報入力手段
２１４    画像読込部
２１５    画像書込部
２３０    画像転送手段
２３１    画像搬送部
２４０    通信手段（入力）
２４１    通信手段（出力）
２５１    外部プリンタ
２７０    画像処理部
７０１    フィルムスキャンデータ処理部
７０２    反射原稿スキャンデータ処理部
７０３    画像データ書式解読処理部
７０４    画像調整処理部
７０５    ＣＲＴ固有処理部
７０６    プリンタ固有処理部（１）
７０７    プリンタ固有処理部（２）
７０８    画像データ書式作成処理部
３０２    ヘッダ情報解析部
３０３ａ  装置特性補正処理部
３０３ｂ  処理条件テーブル
３０４    シーン参照画像データ生成部
３０７    撮影情報データ処理部
３０８    鑑賞画像参照データ生成部
２７１    データ蓄積手段
ｄ１    撮像装置特性補正データ
ｄ２    シーン参照生データ
ｄ３    撮影情報データ
ｄ４    シーン参照画像データ
ｄ５    鑑賞画像参照データ
ｄ６    編集済み再現補助データ
【図１】
2006203565.tif 000003
【図２】
2006203565.tif 000004
【図３】
2006203565.tif 000005
【図４】
2006203565.tif 000006
【図５】
2006203565.tif 000007
【図６】
2006203565.tif 000008
【図７】
2006203565.tif 000009
【図８】
2006203565.tif 000010
【図９】
2006203565.tif 000011
【図１０】
2006203565.tif 000012
【図１１】
2006203565.tif 000013
【図１２】
2006203565.tif 000014
【図１３】
2006203565.tif 000015
【図１４】
2006203565.tif 000016
【図１５】
2006203565.tif 000017
【図１６】
2006203565.tif 000018
【図１７】
2006203565.tif 000019
【図１８】
2006203565.tif 000020
【図１９】
2006203565.tif 000021
【図２０】
2006203565.tif 000022
【図２１】
2006203565.tif 000023
【図２２】
2006203565.tif 000024
【図２３】
2006203565.tif 000025
【図２４】
2006203565.tif 000026
【図２５】
2006203565.tif 000027